(57)【要約】メトロロジターゲットからパターニングプロセスパラメータを決定する方法であって、メトロロジターゲットから回折放射線の複数の値を得ることであって、複数の値の各値が、ターゲットに対する照明放射線の複数の照明条件のうちの異なる照明条件に対応することと、ターゲットに対するパターニングプロセスパラメータの同じ値を決定するために値の組合せを使用することと、を含む方法。【選択図】図７Ａ
2020518848.tif 000002
【特許請求の範囲】
【請求項１】
メトロロジターゲットからパターニングプロセスパラメータを決定する方法であって、
前記メトロロジターゲットから回折放射線の複数の値を得ることであって、前記複数の値の各値が、前記ターゲットに対する照明放射線の複数の照明条件のうちの異なる照明条件に対応することと、
前記ターゲットに対する前記パターニングプロセスパラメータの同じ値を決定するために値の組合せを使用することと、
を含む、方法。
【請求項２】
前記回折放射線の値が、前記複数の照明条件のうちの少なくとも４つの照明条件の各々に対して得られる、請求項１に記載の方法。
【請求項３】
前記ターゲットが、少なくとも２つのサブターゲットを含み、
各サブターゲットが、異なるバイアスを有し、
前記各値が、特定のサブターゲットからの回折放射線に対応する、請求項１又は２に記載の方法。
【請求項４】
前記値が、前記回折放射線の特定の回折次数の正値の放射線と、前記回折放射線の前記特定の回折次数の負値の放射線と、に別々に対応する、請求項１〜３の何れか一項に記載の方法。
【請求項５】
前記パターニングプロセスパラメータの前記同じ値を決定するために値の前記組合せを使用することが、連立方程式の少なくとも１つの方程式の変数として前記複数の照明条件の各々を含む前記連立方程式を使用することを含む、請求項１〜４の何れか一項に記載の方法。
【請求項６】
前記連立方程式が、少なくとも１６個の方程式を含む、請求項５に記載の方法。
【請求項７】
前記連立方程式が、最大で１６個の未知数を含む、請求項５又は６に記載の方法。
【請求項８】
前記ターゲットが、上部周期構造及び下部周期構造を含み、
前記連立方程式の各方程式が、前記ターゲットの前記下部周期構造からの放射線の振幅を表す変数及び前記ターゲットからの放射線の位相を表す変数の関数である１つ又は複数の項を含み、
前記回折放射線の特定の回折次数の正値に対する放射線の少なくとも振幅変数が、前記回折放射線の前記特定の回折次数の負値に対する放射線の振幅変数とは異なり、
前記回折放射線の前記特定の回折次数の前記正値に対する放射線の少なくとも位相変数が、前記回折放射線の前記特定の回折次数の前記負値に対する放射線の位相変数とは異なる、請求項５〜７の何れか一項に記載の方法。
【請求項９】
前記ターゲットが、周期構造の正のバイアスを有する前記ターゲットのサブターゲットと、周期構造の負のバイアスを有する前記ターゲットのサブターゲットと、を含み、
前記連立方程式の各方程式が、前記ターゲットからの放射線の振幅を表す変数及び前記ターゲットからの放射線の位相を表す変数の関数である１つ又は複数の項を含み、
前記正のバイアスを有する前記サブターゲットに対する放射線の少なくとも振幅変数が、前記負のバイアスを有する前記サブターゲットに対する放射線の振幅変数とは異なり、
前記正のバイアスを有する前記サブターゲットに対する放射線の少なくとも位相変数が、前記負のバイアスを有する前記サブターゲットに対する放射線の位相変数とは異なる、請求項５〜８の何れか一項に記載の方法。
【請求項１０】
前記連立方程式の各方程式が、センサ非対称性誤差を表す変数の関数である１つ又は複数の項を含む、請求項５〜９の何れか一項に記載の方法。
【請求項１１】
前記回折放射線の特定の回折次数の正値に対する放射線の少なくともセンサ非対称性誤差変数が、前記回折放射線の前記特定の回折次数の負値に対する放射線のセンサ非対称性誤差変数とは異なる、請求項１０に記載の方法。
【請求項１２】
前記連立方程式を使用することが、前記パターニングプロセスパラメータの前記値に達するように非線形連立方程式を解くことを含む、請求項５〜１１の何れか一項に記載の方法。
【請求項１３】
リソグラフィプロセスのパラメータを測定するためのメトロロジ装置であって、
請求項１〜１２の何れか一項に記載の方法を実行するように動作可能である、メトロロジ装置。
【請求項１４】
請求項１〜１２の何れか一項に記載の方法をプロセッサに実行させるための機械可読命令を含む、非一時的なコンピュータプログラム製品。
【請求項１５】
基板上のメトロロジターゲットに放射ビームを提供し、前記ターゲットによって回析された放射線を検出するように構成された検査装置と、
請求項１４に記載の非一時的なコンピュータプログラム製品と、
を備える、システム。
【発明の詳細な説明】
【技術分野】
【０００１】
関連出願の相互参照
[0001]  本願は、２０１７年５月３日出願の米国特許出願第６２／５０１，０４７号及び２０１８年１月１９日出願の欧州特許出願第１８１５２４７９．４号の優先権を主張するものであり、これらの特許文献の全体を参照により本明細書に援用する。
【背景技術】
【０００２】
[0002]  本開示は、例えば、リソグラフィ技術によるデバイスの製造に使用可能な検査（例えば、メトロロジ）のための方法及び装置と、リソグラフィ技術を使用してデバイスを製造する方法と、に関する。
【０００３】
[0003]  リソグラフィ装置は、基板に、通常は基板のターゲット部分に所望のパターンを付加する機械である。リソグラフィ装置は、例えば、集積回路（ＩＣ）の製造で使用することができる。その際に、代替としてマスク又はレチクルとも称されるパターニングデバイスを使用して、ＩＣの個々の層に形成される回路パターンを発生させることができる。このパターンは、基板（例えば、シリコンウェーハ）のターゲット部分（例えば、１つ又は複数のダイの一部を含む）に転写することができる。パターンの転写は通常、基板に設けられた放射感応性材料（レジスト）層への結像による。一般に、単一の基板は、連続的にパターン形成された、隣接したターゲット部分のネットワークを含む。
【０００４】
[0004]  パターニングプロセス（すなわち、パターニング（リソグラフィ露光又はインプリントなど）を含む、デバイス又は他の構造を作成するプロセス。通常、レジストの現像やエッチングなど、１つ又は複数の関連する処理ステップを含むことがある）を可能にするための重要な側面として、このプロセス自体を開発すること、監視及び制御できるようにこのプロセスをセットアップすること、次いでプロセス自体を実際に監視して制御することが挙げられる。パターニングデバイスパターン、レジストタイプ、リソグラフィ後のプロセスステップ（例えば現像やエッチング）などのパターニングプロセスの原理構成を仮定すると、基板上にパターンを転写するためのパターニングプロセスにおいて装置をセットアップし、１つ又は複数のメトロロジターゲットを現像してプロセスを監視し、メトロロジプロセスをセットアップしてメトロロジターゲットを測定し、次いで測定量に基づいてプロセスを監視及び／又は制御するプロセスを実施することが望ましい。
【０００５】
[0005]  したがって、パターニングプロセスでは、構造のクリティカルディメンジョン（ＣＤ）や、基板内又は基板上に形成される連続層間のオーバーレイ誤差（すなわち、望ましくない意図していない連続層のミスアライメント）など、１つ又は複数の対象のパラメータを決定すること（例えば、測定することや、パターニングプロセスの１つ又は複数の側面をモデル化する１つ又は複数のモデルを使用してシミュレートすること）が望ましい。
【０００６】
[0006]  パターニングプロセスによって作成された構造に対して、そのような１つ又は複数の対象のパラメータを決定し、パターニングプロセスに関する設計、制御、及び／又は監視のため、例えばプロセスの設計、制御、及び／又は検証のためにこのパラメータを使用することが望ましい。パターン形成された構造の決定された１つ又は複数の対象のパラメータは、パターニングプロセスの設計、補正、及び／又は検証、欠陥検出又は分類、歩留まり推定、及び／又はプロセス制御のために使用することができる。
【０００７】
[0007]  したがって、パターン形成プロセスでは、多くの場合、例えば、プロセス制御及び検証を行うために、形成された構造の測定を行うのが好ましい。クリティカルディメンジョン（ＣＤ）を測定するのにしばしば使用される走査電子顕微鏡と、デバイスの２つの層のアライメント精度の尺度であるオーバーレイを測定する専用ツールとを含む、上記の測定を行う様々なツールが公知である。オーバーレイは、２つの層間のミスアライメントの度合いによって表すことができ、例えば、測定された１ｎｍのオーバーレイという表現は、２つの層が１ｎｍだけずれた状態を表すことができる。
【０００８】
[0008]  様々な形態の検査装置（例えば、メトロロジ装置）が、リソグラフィ分野で使用するために開発された。これらのデバイスは、ターゲットの対象となる特性を求めることを可能にする「スペクトル」を得るために、放射ビームをターゲットに誘導し、再誘導された（散乱）放射線の１つ又は複数の特性、例えば、単一の反射角における波長に応じた強度照度、１つ又は複数の波長における反射角に応じた強度照度、又は反射角に応じた偏光を測定する。対象となる特性は、様々な技術、例えば、厳密結合波分析又は有限要素法などの反復手法によるターゲットの再現、ライブラリ検索、及び主成分分析によって求めることができる。
【０００９】
[0009]  さらなる技法は、（鏡面反射に対応する）０次回折を阻止することを伴い、より高次の回折のみが処理される。そのようなメトロロジの例は、国際公開第２００９／０７８７０８号及び国際公開第２００９／１０６２７９号で見ることができ、これらの特許文献全体を参照により本明細書に援用する。この技法のさらなる発展形態は、米国特許出願公開第２０１１／００２７７０４号、米国特許出願公開第２０１１／００４３７９１号、及び米国特許出願公開第２０１２／０２４２９４０号に記載されており、これらの各特許出願全体を参照により本明細書に援用する。通常、そのような回折ベースの技法は、オーバーレイを測定するために使用される。技法のためのターゲットは、照明スポットよりも小さくてよく、基板上の製品構造によって囲まれていてもよい。ターゲットは、複数の周期構造を備えることができ、これらは１つの像で測定することができる。そのようなメトロロジ技法の特定の形態では、オーバーレイ測定結果は、通常の回析次数（例えば＋１次）、及び相補的な回析次数（例えば−１次）の強度を別個に得るためにターゲットを回転させながら、又は照明モード若しくは結像モードを変更しながら、特定の条件下でターゲットを２回測定することによって得られる。所与のターゲットに関する強度非対称性、これらの回折次数強度の比較は、ターゲット非対称性、すなわちターゲットにおける非対称性の測定を提供する。オーバーレイ誤差の指標として、ターゲットにおけるこの非対称性を使用することができる。
【発明の概要】
【００１０】
[0010]  オーバーレイ測定の例では、上記の技法は、オーバーレイ（すなわち、オーバーレイ誤差及び意図的なバイアス）が、ターゲットにおけるターゲット非対称性の唯一の原因であるという仮定に依拠する。上層及び／又は下層における周期構造内のフィーチャの構造的非対称性や、センサを使用した測定における非対称性など、ターゲット又は測定における任意の他の非対称性は、１次の（又は他のより高次の）測定強度非対称性も引き起こす。ターゲット及び／又は測定におけるそのような他の非対称性に起因し得る、オーバーレイ（意図的なバイアスを含む）とは関係ないこの強度非対称性は、オーバーレイ測定を乱し、不正確なオーバーレイ測定を与える。
【００１１】
[0011]  一実施形態では、メトロロジターゲットからパターニングプロセスパラメータを決定する方法であって、メトロロジターゲットから回折放射線の複数の値を得ることであって、複数の値の各値が、ターゲットに対する照明放射線の複数の照明条件のうちの異なる照明条件に対応することと、ターゲットに対するパターニングプロセスパラメータの同じ値を決定するために値の組合せを使用することと、を含む方法が提供される。
【００１２】
[0012]  一実施形態では、測定放射線によって照明されたメトロロジターゲットからパターニングプロセスパラメータの第１の値を決定するために、第１のパターニングプロセスパラメータ決定技法を使用することと、メトロロジターゲットに対するパターニングプロセスパラメータの複数の第２の値に達するように、第１のパターニングプロセスパラメータ決定技法とは異なる第２のパターニングプロセスパラメータ決定技法を使用することであって、第２の値の各々が、測定放射線の異なる照明条件で決定されることと、第１の値及び第２の値に基づいて、メトロロジターゲットの測定のためのメトロロジレシピに対する測定放射線の照明条件を識別することと、を含む方法が提供される。
【００１３】
[0013]  一実施形態では、本明細書に記載のメトロロジレシピに従って基板上のメトロロジターゲットを測定することを含む測定方法が提供される。
【００１４】
[0014]  一実施形態では、リソグラフィプロセスのパラメータを測定するためのメトロロジ装置であって、本明細書で述べる方法を実施するように動作可能なメトロロジ装置が提供される。
【００１５】
[0015]  一実施形態では、プロセッサに本明細書に記載の方法を実行させるための機械可読命令を含む非一時的コンピュータプログラム製品が提供される。
【００１６】
[0016]  基板上の２つの隣接する周期構造又は測定ターゲットに放射ビーム提供し、前記ターゲットによって回折された放射線を検出してパターニングプロセスのパラメータを決定するように構成された検査装置と、本明細書に記載の非一時的なコンピュータプログラムと、を備えるシステムが提供される。一実施形態では、システムは、放射ビームを変調するためにパターニングデバイスを保持するように構成された支持構造と、前記変調された放射ビームを放射線感受性基板上に投影するように配置された投影光学系と、を備えるリソグラフィ装置をさらに備える。
【００１７】
[0017]  さらなる特徴及び利点、さらには、様々な実施形態の構造及び動作が、添付図面を参照して下記に詳細に説明される。なお、本発明は、本明細書で説明する特定の実施形態に限定されない。そのような実施形態は、例示のみを目的として本明細書に提示される。さらなる実施形態が、本明細書に記載された教示から当業者に明らかになるであろう。
【００１８】
[0018]  実施形態が、単なる例として、添付の図面を参照して以下に説明される。
【図面の簡単な説明】
【００１９】
【図１】[0019]リソグラフィ装置の一実施形態を示す図である。
【図２】[0020]リソグラフィセル又はクラスタの一実施形態を示す図である。
【図３】[0021]例示的な検査装置及びメトロロジ技法を概略的に示す図である。
【図４】[0022]例示的な検査装置を概略的に示す図である。
【図５】[0023]検査装置の照明スポットとメトロロジターゲットとの関係を示す図である。
【図６】[0024]測定データに基づいて複数の対象の変数を導出するプロセスを概略的に示す図である。
【図７Ａ】[0025]第１の対の照明アパーチャを使用してターゲットを測定するように構成された検査装置（例えば、この場合は暗視野スキャトロメータ）の概略図である。
【図７Ｂ】[0026]所与の照明方向に関するターゲット周期構造の回折スペクトルの詳細を概略的に示す図である。
【図７Ｃ】[0027]回折ベースのオーバーレイ測定のために図７Ａの検査装置を使用する際にさらなる照明モードを提供する第２の対の照明アパーチャを概略的に示す図である。
【図７Ｄ】[0028]第１と第２の対のアパーチャを組み合わせた第３の対の照明アパーチャを概略的に示す図である。
【図８】[0029]多重周期構造ターゲットの形態と、基板上の測定スポットの概要と、を示す図である。
【図９】[0030]図７Ａの検査装置で得られた図８のターゲットの像を示す図である。
【図１０】[0031]図３の検査装置を使用するオーバーレイ測定法のステップを示す流れ図である。
【図１１Ａ】[0032]ゼロの領域内で異なるオーバーレイ値を有するオーバーレイ周期構造の概略断面図である。
【図１１Ｂ】[0032]ゼロの領域内で異なるオーバーレイ値を有するオーバーレイ周期構造の概略断面図である。
【図１１Ｃ】[0032]ゼロの領域内で異なるオーバーレイ値を有するオーバーレイ周期構造の概略断面図である。
【図１１Ｄ】[0033]処理の効果による底部周期構造での構造的非対称性を有するオーバーレイ周期構造の概略断面図である。
【図１１Ｅ】[0034]意図的なバイアスを伴う周期構造を有するオーバーレイターゲットの概略上面図である。
【図１１Ｆ】[0035]図１１Ｅに示されるものなどのターゲットからの特定の次数の放射線の検出された回折信号の例を示す図である。
【図１１Ｇ】[0036]図１１Ｅに示されるものなどのターゲットからの別の特定の次数の放射線の検出された回折信号の例を示す図である。
【図１１Ｈ】[0037]２層周期構造を有するターゲットからの放射線の回折を説明するための簡単なモデルの概略的な描写である。
【図１２】[0038]構造的非対称性を受けない理想的なターゲットでのオーバーレイ測定の原理を示す図である。
【図１３】[0039]本明細書における実施形態で開示されるような構造的非対称性の補正を用いた、理想的でないターゲットにおけるオーバーレイ測定の原理を示す図である。
【図１４】[0040]方法の一実施形態の流れ図である。
【図１５】[0041]方法の一実施形態の流れ図である。
【図１６】[0042]性能を監視するために並びにメトロロジ、設計及び／又は製造プロセスの制御の基礎としてメトロロジターゲットが使用されるプロセスを示す流れ図である。
【図１７】[0043]単一の偏光（この場合は直線Ｘ偏光）に関する様々な波長での測定におけるターゲットに関するオーバーレイ感度のグラフである。
【図１８】[0044]単一の偏光（この場合は直線Ｙ偏光）に関する様々な波長での測定におけるターゲットに関するオーバーレイ感度のグラフである。
【図１９】[0045]フィーチャ非対称性を有さないオーバーレイ格子に関するＡ＋対Ａ−のプロットである。
【発明を実施するための形態】
【００２０】
[0046]  実施形態を詳細に述べる前に、実施形態を実施することができる例示的な環境を示すことが有益である。
【００２１】
[0047]  図１は、リソグラフィ装置ＬＡを概略的に示す。この装置は、放射ビームＢ（例えばＵＶ放射線又はＤＵＶ放射線）を調整するように構成された照明光学系（照明器）ＩＬと、パターニングデバイス（例えばマスク）ＭＡを支持するように構成され、特定のパラメータに従ってパターニングデバイスを正確に位置決めするように構成された第１の位置決め装置ＰＭに接続されたパターニングデバイス支持体又は支持構造（例えばマスクテーブル）ＭＴと、基板（例えばレジストコートウェハ）Ｗを保持するように構成され、特定のパラメータに従って基板を正確に位置決めするように構成された第２の位置決め装置ＰＷに接続された基板テーブル（例えばウェハテーブル）ＷＴと、基板Ｗのターゲット部分Ｃ（例えば１つ又は複数のダイを含む）上にデバイスＭＡをパターン形成することによって、放射ビームＢに付与されたパターンを投影するように構成された投影光学系（例えば屈折投影レンズ系）ＰＳと、を含む。
【００２２】
[0048]  照明光学系は、放射線を誘導、整形、又は制御するための、屈折、反射、磁気、電磁気、静電気、若しくは他のタイプの光学構成要素、又はそれらの任意の組合せなど、様々なタイプの光学構成要素を含むことがある。
【００２３】
[0049]  パターニングデバイス支持体は、パターニングデバイスの向き、リソグラフィ装置の設計、及び例えばパターニングデバイスが真空環境内に保持されているかどうかなどの他の条件に応じた様式でパターニングデバイスを保持する。パターニングデバイス支持体は、パターニングデバイスを保持するために機械的、真空、静電、又は他のクランプ技法を使用することができる。パターニングデバイス支持体は、フレーム又はテーブルでよく、例えば、必要に応じて固定式又は可動式でよい。パターニングデバイス支持体は、パターニングデバイスが例えば投影システムに対して確実に所望の位置にくるようにすることができる。本明細書における「レチクル」又は「マスク」という用語の使用は、より一般的な「パターニングデバイス」という用語と同義とみなすことができる。
【００２４】
[0050]  本明細書で使用される「パターニングデバイス」という用語は、基板のターゲット部分にパターンを作成するように、ビームの断面にパターンを付与するために使用することができる任意のデバイスを表すものとして広く解釈すべきである。例えばパターンが位相シフトフィーチャ又はいわゆるアシストフィーチャを含む場合、放射ビームに付与されたパターンは、基板のターゲット部分での所望のパターンに正確には対応しないことがあることに留意されたい。一般に、放射ビームに付与されたパターンは、集積回路などのターゲット部分に作成されているデバイスでの特定の機能層に対応する。
【００２５】
[0051]  パターニングデバイスは、透過型でも反射型でもよい。パターニングデバイスの例としては、マスク、プログラマブルミラーアレイ、及びプログラマブルＬＣＤパネルが挙げられる。マスクは、リソグラフィにおいてよく知られており、バイナリ、レべンソン型(alternating)位相シフト、及びハーフトーン型(attenuated)位相シフトなどのマスクタイプ、並びに様々なハイブリッドマスクタイプを含む。プログラマブルミラーアレイの一例は、小さいミラーのマトリックス配置を採用し、各ミラーは、入射する放射ビームを異なる方向に反射するように個々に傾斜させることができる。傾斜したミラーは、放射ビームにパターンを付与し、この放射ビームがミラーマトリックスによって反射される。
【００２６】
[0052]  本明細書で示すように、装置は、（例えば透過型マスクを採用する）透過型でよい。代替として、装置は、（例えば、上で言及したようなタイプのプログラマブルミラーアレイを採用する、又は反射型マスクを採用する）反射型でもよい。
【００２７】
[0053]  リソグラフィ装置は、投影システムと基板との間の空間を満たすように、比較的高い屈折率を有する液体、例えば水で基板の少なくとも一部を覆うことができるタイプのものでもよい。リソグラフィ装置内の他の空間、例えばマスクと投影システムとの間に浸液を適用してもよい。投影システムの開口数を増加させるための液浸技法は、当技術分野においてよく知られている。本明細書で使用される「液浸」という用語は、基板などの構造が液体に浸されなければならないことを意味するのではなく、露光中に投影システムと基板との間に液体があることを意味するにすぎない。
【００２８】
[0054]  図１を参照すると、イルミネータＩＬは、放射源ＳＯから放射ビームを受け取る。例えば放射源がエキシマレーザであるとき、放射源とリソグラフィ装置とは別体でもよい。そのような場合、放射源は、リソグラフィ装置の一部を成すとはみなされず、放射ビームは、例えば適切な誘導ミラー及び／又はビームエキスパンダを含むビーム送達システムＢＤによって放射源ＳＯからイルミネータＩＬに送られる。他の場合には、例えば放射源が水銀ランプであるとき、放射源はリソグラフィ装置の一部でよい。放射源ＳＯ及びイルミネータＩＬは、必要であればビーム送達システムＢＤと共に、放射システムと呼ぶことができる。
【００２９】
[0055]  イルミネータＩＬは、放射ビームの角強度分布を調節するための調節装置ＡＤを含むことができる。一般に、イルミネータの瞳面における強度分布の少なくとも外側及び／又は内側の半径範囲（通常、それぞれσ−外側及びσ−内側と呼ばれる）を調節することができる。さらに、イルミネータＩＬは、インテグレータＩＮ及びコンデンサＣＯなど様々な他の構成要素を含むことができる。イルミネータを使用して、放射ビームを調整し、その断面に所望の均一性及び強度分布を有するようにすることができる。
【００３０】
[0056]  放射ビームＢは、パターニングデバイス支持体（例えばマスクテーブル）ＭＴに保持されているパターニングデバイス（例えばマスク）ＭＡに入射し、パターニングデバイスによってパターン形成される。パターニングデバイス（例えばマスク）ＭＡを通過すると、放射ビームＢは、投影光学系ＰＳを通過し、投影光学系ＰＳは、ビームを基板Ｗのターゲット部分Ｃに集束させ、それによってパターンの像をターゲット部分Ｃに投影する。第２の位置決め装置ＰＷ及び位置センサＩＦ（例えば、干渉計デバイス、リニアエンコーダ、２−Ｄエンコーダ、又は静電容量センサ）を用いて、例えば異なるターゲット部分Ｃを放射ビームＢの経路内に位置決めするように基板テーブルＷＴを正確に移動させることができる。同様に、第１の位置決め装置ＰＭ及び別の位置センサ（図１には明示されていない）を使用して、例えばマスクライブラリからの機械的な取出し後、又はスキャン中に、放射ビームＢの経路に対してパターニングデバイス（例えばマスク）ＭＡを正確に位置決めすることができる。
【００３１】
[0057]  パターニングデバイス（例えばマスク）ＭＡと基板Ｗは、パターニングデバイスアライメントマークＭ１、Ｍ２と基板アライメントマークＰ１、Ｐ２とを使用してアライメントすることができる。図示される基板アライメントマークは専用のターゲット部分を占めるが、ターゲット部分間の空間内に位置されてもよい（これらはスクライブレーンアライメントマークとして知られている）。同様に、パターニングデバイス（例えばマスク）ＭＡに複数のダイが設けられている状況では、パターニングデバイスアライメントマークをダイ間に位置することができる。小さいアライメントマーカが、デバイスフィーチャの間でダイ内部に含まれてもよく、この場合、マーカはできるだけ小さく、隣接するフィーチャとは異なる結像又はプロセス条件を必要としないことが望ましい。アライメントマーカを検出するアライメントシステムについては、以下でさらに述べる。
【００３２】
[0058]  この例でのリソグラフィ装置ＬＡは、いわゆるデュアルステージタイプのものであり、２つの基板テーブルＷＴａ、ＷＴｂと、２つのステーション（露光ステーションと測定ステーション）と、を有し、それらのステーション間で基板テーブルを交換することができる。１つの基板テーブル上の１つの基板が露光ステーションで露光されている間に、別の基板を測定ステーションで他の基板テーブルに装填することができ、様々な予備ステップを行うことができる。予備ステップは、レベルセンサＬＳを使用して基板の表面制御をマッピングし、アライメントセンサＡＳを使用して基板上のアライメントマーカの位置を測定することを含むことがある。これにより、装置のスループットを大幅に増加させることができる。
【００３３】
[0059]  図示される装置は、例えばステップモード又はスキャンモードを含む様々なモードで使用することができる。リソグラフィ装置の構成及び動作は当業者にはよく知られており、本発明の実施形態を理解するためにさらに述べる必要はない。
【００３４】
[0060]  図２に示されるように、リソグラフィ装置ＬＡは、リソグラフィセルＬＣ又はリソセル若しくはクラスタと呼ばれるリソグラフィシステムの一部を成す。また、リソグラフィセルＬＣは、基板に対して露光前及び露出後のプロセスを実施するための装置を含むこともできる。従来、これらは、レジスト層を堆積するためのスピンコータＳＣ、露光されたレジストを現像するための現像装置ＤＥ、冷却プレートＣＨ、及びベークプレートＢＫを含む。基板ハンドラ又はロボットＲＯは、入出力ポートＩ／Ｏ１、Ｉ／Ｏ２から基板を取り、それらを異なるプロセス装置間で移動させ、次いでリソグラフィ装置のローディングベイＬＢに送達する。総称してトラックと呼ばれることが多いこれらのデバイスは、トラック制御ユニットＴＣＵの制御下にあり、トラック制御ユニットＴＣＵは、それ自体、監視制御システムＳＣＳによって制御され、監視制御システムＳＣＳはまた、リソグラフィ制御ユニットＬＡＣＵを介してリソグラフィ装置を制御する。したがって、スループット及び処理効率を最大にするように異なる装置を動作させることができる。
【００３５】
[0061]  少なくとも１つのパターニングステップ（例えば光リソグラフィステップ）を含むパターニングプロセス（例えばデバイス製造プロセス）の設計、監視、制御などを行うために、パターン形成された基板を検査することができ、パターン形成された基板の１つ又は複数のパラメータが測定される。１つ又は複数のパラメータは、例えば、パターン形成された基板内又は基板上に形成された連続層間のオーバーレイ、例えばパターン形成された基板内又は基板上に形成されたフィーチャのクリティカルディメンジョン（ＣＤ）（限界線幅）、光リソグラフィステップの焦点又は焦点誤差、光リソグラフィステップのドーズ量又はドーズ誤差、光リソグラフィステップの光収差などを含むことがある。この測定は、製品基板自体のターゲット及び／又は基板上に提供される専用のメトロロジターゲットに対して実施することができる。走査型電子顕微鏡、像ベースの測定又は検査ツール、及び／又は様々な特殊ツールの使用を含め、パターニングプロセスで形成された構造の測定を行うための様々な技法がある。比較的高速で非侵襲的な形態の特殊メトロロジ及び／又は検査ツールは、放射ビームが基板表面上のターゲットに向けられ、散乱（回折／反射）ビームの特性が測定されるものである。基板によって散乱される前後のビームの１つ又は複数の特性を比較することによって、基板の１つ又は複数の特性を決定することができる。これは、回折ベースのメトロロジ又は検査と呼ばれることがある。
【００３６】
[0062]  図３は、例示的な検査装置（例えばスキャトロメータ）を示す。この検査装置は、基板Ｗ上に放射線を投影する広帯域（白色光）放射投影装置２を備える。再誘導された放射線は分光計検出器４に送られ、分光計検出器４は、例えば左下のグラフに示されるような鏡面反射放射線のスペクトル１０（波長の関数としての強度）を測定する。このデータから、検出されたスペクトルを生じる構造又はプロファイルは、プロセッサＰＵによって、例えば厳密結合波解析及び非線形回帰によって、又は図３の右下に示されているようなシミュレートされたスペクトルのライブラリとの比較によって再構成することができる。一般に、再構成のために、構造の一般的な形態が知られており、構造が作られたプロセスの知識からいくつかの変数が仮定され、測定データから決定される構造の変数はいくつかのみである。そのような検査装置は、垂直入射検査装置又は斜入射検査装置として構成することができる。
【００３７】
[0063]  使用することができる別の検査装置が図４に示されている。このデバイスでは、放射源２によって放出された放射線は、レンズ系１２０を使用してコリメートされ、干渉フィルタ１３０及び偏光子１７０を透過され、部分反射面１６０によって反射され、対物レンズ１５０を介して基板Ｗ上のスポットＳに集束される。対物レンズ１５０は、高い開口数（ＮＡ）、望ましくは少なくとも０．９又は少なくとも０．９５を有する。液浸検査装置（水などの比較的高い屈折率の流体を使用する）は、１を超える開口数を有することさえあり得る。
【００３８】
[0064]  リソグラフィ装置ＬＡと同様に、測定動作中に基板Ｗを保持するために１つ又は複数の基板テーブルを設けることができる。基板テーブルは、図１の基板テーブルＷＴと形状が同様又は同一でよい。検査装置がリソグラフィ装置と一体化されている例では、それらは同じ基板テーブルでもよい。測定光学系に対して基板を正確に位置決めするように構成された第２の位置決め装置ＰＷに、粗動位置決め装置及び微動位置決め装置を設けることができる。例えば、対象のターゲットの位置を獲得し、そのターゲットを対物レンズ１５０の下の位置に置くために、様々なセンサ及びアクチュエータが設けられる。通常、基板Ｗを横切る様々な位置で、ターゲットに対して多くの測定が行われる。基板支持体をＸ及びＹ方向に移動させて異なるターゲットを獲得し、Ｚ方向に移動させて、光学系の焦点に対するターゲットの所望の位置を得ることができる。例えば実際には光学系が実質的に（典型的にはＸ及びＹ方向で、しかしおそらくＺ方向でも）静止したままであり得て、基板だけが移動するときには、対物レンズが基板に対して様々な位置に導かれているかのように動作を考察して記載することが好都合である。基板と光学系の相対位置が正しいという前提で、原理的に、それらのどちらが現実世界で動いているのか、又は両方が動いているのか、又は光学系の一部が動いており（例えばＺ及び／又は傾斜方向で）、光学系の残りの部分は静止しており、基板は動いている（例えばＸ及びＹ方向で、しかしまた任意選択でＺ及び／又は傾斜方向で）という組合せなのかは問題とならない。
【００３９】
[0065]  次いで、基板Ｗによって再誘導された放射線は、部分反射面１６０を通過して検出器１８０に入り、スペクトルが検出される。検出器１８０を逆投影焦点面１１０（すなわち、レンズ系１５０の焦点距離）に位置してもよく、又は面１１０を、補助光学系（図示せず）を用いて検出器１８０上に再結像してもよい。検出器は、基板ターゲット３０の２次元角散乱スペクトルを測定することができるように２次元検出器でよい。検出器１８０は、例えばＣＣＤ又はＣＭＯＳセンサのアレイでよく、また、例えばフレーム当たり４０ミリ秒の積分時間を使用することができる。
【００４０】
[0066]  例えば、入射光線の強度を測定するために参照ビームを使用することができる。これを行うために、放射ビームが部分反射面１６０に入射するとき、放射ビームの一部が、参照ビームとして部分反射面１６０を透過されて、参照ミラー１４０に向かう。次いで、参照ビームは、同じ検出器１８０の異なる部分に投影されるか、又は異なる検出器（図示せず）に投影される。
【００４１】
[0067]  例えば４０５〜７９０ｎｍ、さらにはより低い、例えば２００〜３００ｎｍの範囲内の対象波長を選択するために、１つ又は複数の干渉フィルタ１３０が利用可能である。干渉フィルタは、１セットの様々なフィルタを備えるのではなく、同調可能でよい。干渉フィルタの代わりに格子を使用することもできる。ターゲットへの放射線の入射角の範囲を制御するために、開口絞り又は空間光変調器（図示せず）を照明経路に設けることができる。
【００４２】
[0068]  検出器１８０は、再誘導された放射線の強度を単一波長（又は狭い波長範囲）で測定することができ、複数の波長で個別に、又はある波長範囲にわたって積分して強度を測定することもできる。さらに、検出器は、横方向の磁気偏光放射線と横方向の電気偏光放射線の強度、及び／又は横方向の磁気偏光放射線と横方向の電気偏光放射線との位相差を個別に測定することができる。
【００４３】
[0069]  基板Ｗ上のターゲット３０は、現像後に固体レジストラインからバーが形成されるように印刷された１−Ｄ格子でよい。ターゲット３０は、２−Ｄ格子でもよく、現像後にレジスト内の固体レジストピラー又はバイアから格子が形成されるように印刷される。バー、ピラー、又はバイアは、基板内又は基板上に（例えば、基板上の１つ又は複数の層内に）エッチングすることができる。（例えば、バー、ピラー、又はバイアの）パターンは、パターニングプロセスにおける処理の変化（例えば、リソグラフィ投影装置（特に投影システムＰＳ）における光収差、焦点の変化、ドーズ量の変化など）に敏感であり、印刷された格子のばらつきとして現れる。したがって、印刷された格子の測定データを使用して、格子が再構成される。線幅及び／又は形状など１−Ｄ格子の１つ若しくは複数のパラメータ、又はピラー若しくはバイアの幅若しくは長さ若しくは形状など２−Ｄ格子の１つ若しくは複数のパラメータを、印刷ステップ及び／又は他の検査プロセスの知識からプロセッサＰＵによって実施される再構成プロセスに入力することができる。
【００４４】
[0070]  再構成によるパラメータの測定に加えて、回折ベースのメトロロジ又は検査を、製品及び／又はレジストパターンでのフィーチャの非対称性の測定において使用することができる。非対称性測定の特定の用途は、例えばオーバーレイの測定に関するが、他の用途も知られている。この場合、ターゲット３０は通常、互いに重ね合わされた１セットの周期フィーチャを備える。例えば、非対称性は、ターゲット３０からの回折スペクトルの対向する部分を比較すること（例えば、周期格子の回折スペクトルにおける−１次と＋１次を比較すること）によって測定することができる。図３又は図４の機器を使用する非対称性測定の概念は、例えば、全体を参照により本明細書に援用する米国特許出願公開第２００６０６６８５５号に記載されている。簡単に述べると、ターゲットの回折スペクトルでの回折次数の位置はターゲットの周期性によってのみ決定されるが、回折スペクトルにおける非対称性は、ターゲットを構成する個々のフィーチャの非対称性を示す。検出器１８０がイメージセンサでよい図４の機器では、そのような回折次数の非対称性は、検出器１８０によって記録される瞳孔像の非対称性として直接現れる。この非対称性は、ＰＵ単位でデジタル画像処理によって測定することができ、オーバーレイの既知の値に対して較正することができる。
【００４５】
[0071]  図５は、図４の装置における典型的なターゲット３０及び照明スポットＳの広がりの平面図を示す。周囲の構造からの干渉がない回折スペクトルを得るために、一実施形態では、ターゲット３０は、照明スポットＳの幅（例えば直径）よりも大きい周期構造（例えば格子）である。スポットＳの幅は、ターゲットの幅及び長さよりも小さくてよい。換言すると、ターゲットは照明によって「アンダーフィル（underfilled）」されており、回折信号は、ターゲット自体の外部の製品フィーチャなどからのいかなる信号も本質的に含んでいない。照明構成２、１２０、１３０、１７０は、対物レンズ１５０の後焦点面にわたって均一な強度の照明を提供するように構成することができる。代替として、例えば照明経路にアパーチャを含めることによって、照明をオンアクシス方向又はオフアクシス方向に制限することができる。
【００４６】
[0072]  図６は、メトロロジを使用して得られた測定データに基づいてターゲットパターン３０’の１つ又は複数の対象の変数の値を決定する例示的なプロセスを概略的に示す。検出器１８０によって検出された放射線は、ターゲット３０’に関する測定された放射分布１０８を提供する。
【００４７】
[0073]  所与のターゲット３０’について、例えば数値マクスウェルソルバ２１０を使用して、パラメータ化モデル２０６から放射分布２０８を計算／シミュレートすることができる。パラメータ化モデル２０６は、ターゲットを構成する、及びターゲットに関連する様々な材料の例示的な層を示す。パラメータ化モデル２０６は、考慮下のターゲットの部分のフィーチャ及び層に関する１つ又は複数の変数を含むことがあり、それらの変数は変更及び導出することができる。図６に示されるように、１つ又は複数の変数は、１つ又は複数の層の厚さｔ、１つ又は複数のフィーチャの幅ｗ（例えばＣＤ）、１つ又は複数のフィーチャの高さｈ、及び／又は１つ又は複数のフィーチャの側壁角度αを含むことがある。示されていないが、１つ又は複数の変数は、限定はしないが、１つ又は複数の層の屈折率（例えば実屈折率又は複素屈折率や屈折率テンソルなど）、１つ又は複数の層の吸光係数、１つ又は複数の層の吸収、現像中のレジスト損失、１つ又は複数のフィーチャのフッティング、及び／又は１つ又は複数のフィーチャのラインエッジ粗さをさらに含むことができる。変数の初期値は、測定されているターゲットに関して予想されるものでよい。次いで、測定された放射分布１０８は、２１２で、計算された放射分布２０８と比較されて、２つの放射分布の差が決定される。差があった場合、パラメータ化モデル２０６の１つ又は複数の変数の値を変えることができ、測定された放射分布１０８と計算された放射分布２０８との間に十分な合致が生じるまで、新たな計算された放射分布２０８を算出して、測定された放射分布１０８と比較することができる。その時点で、パラメータ化モデル２０６の変数の値は、実際のターゲット３０’の幾何学的形状の良好な又は最良の合致を提供する。一実施形態では、測定された放射分布１０８と計算された放射分布２０８との差が公差閾値内にあるとき、十分な合致が存在する。
【００４８】
[0074]  実施形態での使用に適したさらなる検査装置が図７Ａに示されている。例えば、そのようなメトロロジ装置、又は他の任意の適切なメトロロジ装置があり得る。ターゲットＴとターゲットを照明するために使用される測定放射の回折放射線とが、図７Ｂにさらに詳細に示されている。図示した検査装置は、暗視野メトロロジ装置として公知のタイプである。検査装置は、スタンドアロン型デバイスとすることができるし、又は、例えば、測定ステーション若しくはリソグラフィックセルＬＣのいずれかで、リソグラフィ装置ＬＡに組み込むこともできる。装置全体にわたっていくつかの分岐を有する光軸は、点線Ｏで示されている。この装置では、放射源１１（例えば、キセノンランプ）によって放射された放射線は、レンズ１２、１４及び対物レンズ１６を含む光学系によって、光学要素１５を介して基板Ｗに誘導される。これらのレンズは、２連の４Ｆ構成で配置されている。異なるレンズ構成が、例えば基板像を検出器上に形成し、同時に、空間周波数フィルタリング用の中間瞳面のアクセスを可能にするという条件で、異なるレンズ構成を使用することができる。したがって、放射線が基板に入射する角度範囲は、ここでは（共役）瞳面と称される、基板平面の空間スペクトルを示す平面の空間強度分布を画定することで選択することができる。特に、これは、レンズ１２、１４間で、対物レンズ瞳面の後方投影像である平面内に、適切な形態のアパーチャプレート１３を挿入することで行うことができる。図示した例では、アパーチャプレート１３は、様々な照明モードが選択されるのを可能にする、１３Ｎ及び１３Ｓの符号を付けた様々な形態を有する。この例の照明システムは、オフアクシス照明モードを形成している。第１の照明モードでは、アパーチャプレート１３Ｎは、単に説明のために「北（Ｎ）」と指定した方向からのオフアクシス放射線をもたらす。第２の照射モードでは、アパーチャプレート１３Ｓは、同様であるが「南（Ｓ）」の符号を付けた反対の方向から照明するために使用される。様々なアパーチャを使用することで、他の照明モードが可能である。所望の照明モード以外の任意の不必要な放射は、所望する測定信号に干渉することになるので、瞳面の残部は暗色とするのが望ましい。
【００４９】
[0075]  図７Ｂに示すように、ターゲットＴは、基板Ｗが対物レンズ１６の光軸Ｏに垂直な状態で配置されている。基板Ｗは、サポート（図示せず）によって支持することができる。軸Ｏから外れた角度からターゲットＴに当たった測定放射線Ｉは、ゼロ次光線（実線０）及び２つの一次光線（一点鎖線＋１及び二点鎖線−１）を生じさせる。小ターゲットがオーバーフィルされる場合、これらの光線は、メトロロジターゲットＴ及び他のフィーチャを含む基板の領域にわたる多数の平行光線の１つにすぎないことを忘れてはならない。プレート１３のアパーチャは、（有用な放射量を受け入れるのに必要な）有限の幅を有するので、入射光線Ｉは、事実上、所定の角度範囲を占め、回折光線０及び回折光線＋１／−１は幾分広がる。小ターゲットの点広がり関数によれば、各次数＋１、−１は、示すような単一の理想光線ではなく、所定の角度範囲にわたってさらに広がる。ターゲットの周期構造ピッチ及び照明角は、対物レンズに入射する一次光線が、中心光軸と密接して整列するように設計及び調整できることに留意されたい。図７Ａ及び図７Ｂに示した光線は、単に、光線が図中でより容易に区別されるのを可能にするために、幾分軸から外れて示されている。
【００５０】
[0076]  基板Ｗ上のターゲットＴで回折した少なくとも０次及び＋１次のものは、対物レンズ１６によって集められ、逆戻りして光学要素１５を通る。図７Ａに戻ると、北（Ｎ）及び南（Ｓ）として符号を付けた直径方向両側のアパーチャを指定することで、第１及び第２の照明モードの両方が示されている。測定放射の入射光線Ｉが光軸の北側から来ると、すなわち、アパーチャプレート１３Ｎを使用する第１の照明モードが適用されると、＋１（Ｎ）の符号を付けた＋１回折光線が、対物レンズ１６に入射する。それに対して、アパーチャプレート１３Ｓを使用する第２の照明モードが適用されると、（−１（Ｓ）の符号を付けた）−１回折光線がレンズ１６に入射する。
【００５１】
[0077]  ビームスプリッタ１７は、回折ビームを２つの測定分岐に分流する。第１の測定分岐では、光学系１８は、ゼロ次及び一次回折ビームを使用して、ターゲットの回折スペクトル（瞳面像）を第１のセンサ１９（例えば、ＣＣＤ又はＣＭＯＳセンサ）に形成する。各回折次数はセンサの異なる部分に当たるので、画像処理により、各次数を比較し、対照させることができる。センサ１９によって取り込まれた瞳面像は、検査装置の焦点を合わせる、及び／又は一次ビームの強度照度測定値を正規化するために使用することができる。瞳面像は、再現などの多くの測定目的に使用することもできる。
【００５２】
[0078]  第２の測定分岐では、光学系２０、２２は、ターゲットＴの像をセンサ２３（例えば、ＣＣＤ又はＣＭＯＳセンサ）に形成する。第２の測定分岐では、開口絞り２１が、瞳面と共役である平面に設けられる。開口絞り２１は、ゼロ次回折ビームを遮断するように機能するので、センサ２３に形成されるターゲットの像は、−１又は＋１の一次ビームからのみ形成される。センサ１９、２３によって取り込まれた像はプロセッサＰＵに出力され、プロセッサＰＵは像を処理し、プロセッサＰＵの機能は、行われる特定のタイプの測定によって決まる。「像」という用語は、ここでは広い意味で使用されることに留意されたい。−１及び＋１の次数の１つだけが存在する場合に、周期構造特徴の像は形成されない。
【００５３】
[0079]  図７Ａ、７Ｃ及び７Ｄに示すアパーチャプレート１３及び視野絞り２１の特定の形態は単なる例である。一実施形態では、ターゲットのオンアクシス照明が使用され、オフアクシス開口を有する開口絞りを使用して、実質的に１つだけの一次回折放射をセンサに送る。さらに別の実施形態では、一次ビームの代わりに、又は一次ビームに加えて、二次、三次、さらに高次のビーム（図７Ａ、７Ｂ、７Ｃ又は７Ｄに示していない）を測定に使用することができる。
【００５４】
[0080]  これらの様々なタイプの測定に適合可能な測定放射を行うために、アパーチャプレート１３は、ディスクのまわりに形成された複数のアパーチャパターンを含むことができ、このディスクは、所望のパターンを所定の位置に合わせるために回転する。アパーチャプレート１３Ｎ又はアパーチャプレート１３Ｓは、一方向（構成に応じてＸ又はＹ）に向けられた周期構造を測定するためにのみ使用することができることに留意されたい。直交周期構造の測定の場合、ターゲットを９０°及び２７０°だけ回転させることができる。図７Ｃと図７Ｄには異なるアパーチャプレートが示されている。これらの使用、並びに装置の多くの他の変形及び応用は、上述した特許出願公開に記載されている。
【００５５】
[0081]  図８は、既知の慣例に従って基板に形成された（複合）ターゲットを示す。この例におけるターゲットは、互いに近接して位置決めされた４つの周期構造（例えば格子）３２〜３５を備え、周期構造は全て、検査装置のメトロロジ放射照明ビームによって形成される測定スポット３１内にある。したがって、４つの周期構造は全て同時に照明され、センサ１９と２３に同時に結像される。オーバーレイの測定に特化した例では、周期構造３２〜３５は、それら自体、例えば基板Ｗに形成された半導体デバイスの異なる層にパターン形成された周期構造をオーバーレイすることによって形成される複合周期構造である。周期構造３２〜３５は、複合周期構造の異なる部分が形成されている層間のオーバーレイの測定を容易にするために、異なるバイアスのオーバーレイオフセットを有することがある。オーバーレイバイアスの意義は、図８を参照して以下に説明する。また、周期構造３２〜３５は、入射放射線をＸ方向及びＹ方向に回折するように、図示されるようにそれらの向きが異なっていてもよい。一例では、周期構造３２及び３４は、それぞれバイアスオフセット＋ｄ、−ｄを有するＸ方向周期構造である。周期構造３３及び３５は、それぞれバイアスオフセット＋ｄ、−ｄを有するＹ方向周期構造である。これらの周期構造の個別の像を、センサ２３によって捕捉された像内で識別することができる。これはターゲットの一例にすぎない。ターゲットは、４つよりも多い若しくは４つよりも少ない周期構造、又は１つの周期構造のみを備えていてもよい。
【００５６】
[0082]  図９は、図７Ｄのアパーチャプレート１３ＮＷ又は１３ＳＥを使用して、図７の装置において図８のターゲットを用いてセンサ２３に形成され得て、センサ２３によって検出され得る像の一例を示す。瞳面イメージセンサ１９は、異なる個々の周期構造３２〜３５を解像することはできないが、イメージセンサ２３はその解像を行うことができる。濃い色の矩形はセンサ上の像のフィールドを表し、そのフィールド内部で、基板上の照明されたスポット３１は、対応する円形エリア４１内に結像される。この円形エリア４１内で、矩形エリア４２〜４５は、小さいターゲット周期構造３２〜３５の像を表す。ターゲットが製品エリアにある場合、製品フィーチャもこの像フィールドの周辺に見えることがある。画像処理装置及び制御システムＰＵは、パターン認識を使用してこれらの像を処理し、周期構造３２〜３５の別個の像４２〜４５を識別する。このようにすると、像をセンサフレーム内の特定の位置に非常に正確にアライメントする必要がない。これは、測定装置全体のスループットを大幅に改良する。
【００５７】
[0083]  周期構造の個別の像が識別されると、それらの個々の像の強度を、例えば識別されたエリア内の選択された画素強度値を平均又は合計することによって測定することができる。像の強度及び／又は他の特性は、互いに比較することができる。これらの結果を組み合わせて、パターニングプロセスの様々なパラメータを測定することができる。オーバーレイ性能は、そのようなパラメータの重要な一例である。
【００５８】
[0084]  図１０は、例えば国際公開第２０１１／０１２６２４号（その全体を参照により本明細書に援用する）に記載されている方法を使用して、成分周期構造３２〜３５を含む２つの層間のオーバーレイ誤差（すなわち、望ましくなく且つ意図的でないオーバーレイミスアライメント）が測定される様子を示す。この測定は、強度非対称性の尺度を得るためにターゲット周期構造の通常の回析次数の像と相補的な回析次数の像における強度を比較することによって明らかになるターゲット非対称性を識別することによって行われる。一実施形態では、通常の回析次数は＋１次放射線であり、相補的な回析次数は−１次放射線である。本明細書の論述は、＋１次放射線としての通常の回析次数及び−１次放射線である相補的な回析次数に焦点を置くが、他の対応するさらに高い次数（例えば、＋２次と−２次）の強度を比較することができる。
【００５９】
[0085]  ステップＳ１で、基板、例えば半導体ウェハは、図２のリソグラフィセルなどのリソグラフィ装置によって１回又は複数回処理されて、周期構造３２〜３５を含むターゲットを作成する。ステップＳ２で、図７の検査装置を使用して、１次回折ビームの１つ（例えば＋１次）のみを用いて周期構造３２〜３５の像が取られる。ステップＳ３で、照明モードを変更すること、若しくは結像モードを変更することによって、又は検査装置の視野内で基板Ｗを１８０°回転させることによって、他の一次回折ビーム（−１次）を用いた周期構造の第２の像を得ることができる。その結果、第２の像において−１次回折放射線が捕捉される。
【００６０】
[0086]  各像に一次回折放射線の半分しか含まないことにより、ここで言う「像」は、従来の暗視野顕微鏡像ではないことに留意されたい。ターゲット周期構造の個々のターゲットフィーチャは解像されない。各ターゲット周期構造は、単に特定の強度レベルのエリアによって表される。ステップＳ４で、各成分ターゲット周期構造の像内で関心領域（ＲＯＩ）が識別され、そこから強度レベルが測定される。
【００６１】
[0087]  個々のターゲット周期構造ごとにＲＯＩを識別し、その強度を測定すると、ターゲットの非対称性、したがってオーバーレイ誤差を決定することができる。これは、ステップＳ５において、ターゲット周期構造３２〜３５ごとに通常の及び相補的な回折次数の放射線に関して得られた強度値を比較して、それらの強度非対称性（例えば、それらの強度の差）を識別して（例えば、プロセッサＰＵによって）行われる。「差」という用語は、減算のみを表すものとは意図されていない。差は、比率の形で算出されてもよい。ステップＳ６では、いくつかのターゲット周期構造に関する測定された強度非対称性を、それらのターゲット周期構造の任意の既知の課されたオーバーレイバイアスの知識と共に使用して、ターゲットＴの近傍でのパターニングプロセスの１つ又は複数の性能パラメータを算出する。
【００６２】
[0088]  図１１Ａ〜図１１Ｄは、異なるバイアスオフセットを有するターゲット周期構造（オーバーレイ周期構造）の概略断面図を示す。図７〜図９で見られるように、これらは基板Ｗ上のターゲットＴとして使用することができる。単に例として、Ｘ方向で周期性を有する周期構造が示されている。異なるバイアス及び異なる向きを有するこれらの周期構造の異なる組合せを、個別に又はターゲットの一部として提供することができる。
【００６３】
[0089]  図１１Ａから始めると、符号Ｌ１及びＬ２で表される少なくとも２つの層に形成されたターゲット６００が示されている。下部又は底部層Ｌ１では、第１の周期構造（下部又は底部周期構造）、例えば格子が、基板６０６のフィーチャ６０２及び空間６０４によって形成される。層Ｌ２では、第２の周期構造、例えば格子が、フィーチャ６０８及び空間６１０によって形成される（フィーチャ６０２、６０８（例えばライン）が紙面奥へ延びるように断面が描かれている）。周期構造パターンは、両層においてピッチＰで繰り返している。フィーチャ６０２及び６０８は、ライン、ドット、ブロック、及びバイアホールの形態を取ることがある。図１１Ａに示される状況では、ミスアライメントによるオーバーレイ寄与、例えばオーバーレイ誤差及び課されたバイアスがなく、したがって、第２の構造の各フィーチャ６０８が、第１の構造でのフィーチャ６０２の真上に位置する。
【００６４】
[0090]  図１１Ｂで、第１の既知の課されたバイアス＋ｄを有する同じターゲットが示され、第１の構造のフィーチャ６０８が、第２の構造のフィーチャに対して右に距離ｄだけずらされているバイアス距離ｄは、実際には数ナノメートル、例えば１０ｎｍ〜２０ｎｍでよく、ピッチＰは、例えば３００〜１０００ｎｍの範囲、例えば５００ｎｍ又は６００ｎｍである。図１１Ｃには、第２の既知の課されたバイアス−ｄを有する別のフィーチャが示されており、フィーチャ６０８が左にシフトされている。ｄの値は、各構造に関して同じである必要はない。図１１Ａから図１１Ｃに示されるこのタイプのバイアス周期構造は、上述した先行特許出願公開に記載されている。
【００６５】
[0091]  図１１Ｅは、図１１Ａ〜Ｃに示されるものなどの上層及び下層における周期構造を含むサブターゲット６１２、６１４、６１６、６１８を有する例示的なターゲット６００を上方から概略的に示す。下層は、図１１Ｅには示されていない。一実施形態では、サブターゲット６１２、６１４、６１６、６１８は、２つの垂直方向（例えば、Ｘ及びＹ）におけるオーバーレイを測定するように設計され、その測定を容易にするように課されたバイアスｄを有する（図１１Ｂ及び１１Ｃに関して上述されるように）。図１１Ｅの実施形態は４つのサブターゲットを示しているが、異なる数でもよく、それらはすべて、１つの方向におけるオーバーレイを測定するため又は２つを超える方向におけるオーバーレイを測定するために使用することができる。
【００６６】
[0092]  一実施形態では、サブターゲット６１２及び６１４は共に、Ｘ方向におけるオーバーレイを測定するように設計される。一実施形態では、サブターゲット６１２は＋ｄのバイアスを有し、サブターゲット６１４は−ｄのバイアスを有する。一実施形態では、サブターゲット６１６及び６１８は共に、Ｙ方向におけるオーバーレイを測定するように設計される。一実施形態では、サブターゲット６１６は＋ｄのバイアスを有し、サブターゲット６１８は−ｄのバイアスを有する。
【００６７】
[0093]  図１１Ｆは、図１１Ｅに示されるものなどのターゲット６００からのステップＳ２からの通常の次数（例えば、＋１次）の放射線の検出された回折信号の例を示す。図１１Ｇは、図１１Ｅに示されるものなどのターゲット６００からのステップＳ３からの相補的な次数（例えば、−１次）の放射線の検出された回折信号の例を示す。各周期構造方向（Ｘ及びＹ）に対し、図１１Ｆ及び１１Ｇにおいて「＋」（＋ｄバイアスの場合）及び「−」（−ｄバイアスの場合）によって示されるような反対方向の意図的なバイアスを有する２つの周期構造が存在する。したがって、Ｘ＋は、サブターゲット６１２から検出された回折信号を表し、Ｘ−は、サブターゲット６１４から検出された回折信号を表し、Ｙ＋は、サブターゲット６１８から検出された回折信号を表し、Ｙ−は、サブターゲット６１６から検出された回折信号を表す。したがって、周期構造の周期性方向ごとに４つの回折強度信号が検出される。
【００６８】
[0094]  図１１Ｈは、２層周期構造（図１１Ａ〜Ｃに示されるものなど）を有するターゲット（サブターゲット６１２、６１４、６１６又は６１８など）からの放射線の回折を説明するための簡単なモデルの概略的な描写である。上層及び下層から回析された放射線の複素振幅が示されている。下層から回析された放射線は、オーバーレイからの位相寄与を含む。
【００６９】
[0095]  図１２において、曲線７０２は、ターゲットを形成する個々の周期構造内、特に第１の構造の個々の周期構造内でオフセットを有さず、構造的非対称性を有さない「理想的な」ターゲットに関するオーバーレイＯＶと強度非対称性Ａとの関係を示す。その結果、この理想的なターゲットのターゲット非対称性は、既知の課されたバイアス及びオーバーレイ誤差ＯＶＥから生じる第１の構造と第２の構造とのミスアライメントによるオーバーレイ寄与のみを含む。このグラフ及び図１３のグラフは、本開示の背景にある原理のみを示しており、各グラフにおいて、強度非対称性Ａ及びオーバーレイＯＶの単位は任意である。実際の寸法の例は、以下にさらに提示する。
【００７０】
[0096]  図１２の「理想的な」状況では、曲線７０２は、強度非対称性Ａがオーバーレイとの非線形の周期的な関係（例えば正弦関係）を有することを示す。正弦波変動の周期Ｐは、周期構造の周期又はピッチＰに対応し、当然、適切なスケールに変換される。この例では正弦波形は純粋なものであるが、現実の状況では高調波を含むことがある。
【００７１】
[0097]  上述したように、オーバーレイを測定するために、単一の測定量に依拠するのではなく、（既知の課されたオーバーレイバイアスを有する）バイアス周期構造を使用することができる。このバイアスは、それが生成されたパターニングデバイス（例えばレチクル）で定義される既知の値を有し、これは、測定された強度非対称性に対応するオーバーレイの基板上での較正として働く。図面には、算出結果がグラフで示されている。ステップＳ１〜Ｓ５において、（例えば図１１Ｂ及び図１１Ｃに示されるように）課されたバイアス＋ｄ及び−ｄをそれぞれ有する周期構造に関して、強度非対称性測定量Ａ＋ｄ及びＡ−ｄが得られる。これらの測定量を正弦曲線に当てはめると、図示のように点７０４及び７０６が得られる。バイアスを知ると、真のオーバーレイ誤差ＯＶＥを算出することができる。正弦曲線のピッチＰは、ターゲットの設計から分かっている。曲線７０２の垂直スケールは、最初は分かっておらず、未知の係数であり、１次高調波比例定数Ｋと呼ぶことができる。したがって、オーバーレイ感度Ｋは、オーバーレイに対する強度非対称性測定量の感度の尺度である。一実施形態では、オーバーレイ感度Ｋは、オーバーレイに対する測定された強度の割合である。したがって、オーバーレイ感度Ｋは、オーバーレイのプロセス依存性を検出する助けとなる。
【００７２】
[0098]  等式としては、オーバーレイ誤差ＯＶＥと強度非対称性Ａとの関係は、以下のように仮定される。
Ａ±ｄ＝Ｋｓｉｎ（ＯＶＥ±ｄ）      （１）
ここで、オーバーレイ誤差ＯＶＥは、ターゲットピッチＰが角度２πラジアンに対応するようにスケール調整して表される。異なる既知のバイアス（例えば＋ｄ及び−ｄ）を有する周期構造の２つの測定量を使用して、以下の式を用いてオーバーレイ誤差ＯＶＥを算出することができる。
【数１】
2020518848.tif 000003
【００７３】
[0099］  図１１Ｈに戻ると、オーバーレイＯＶ（オーバーレイ誤差ＯＶＥとも呼ばれる）は、以下の通り評価することもできる。具体的には、図１１Ｈに表されているモデルに基づいて、＋１次及び−１次の回析された放射線の強度を以下の通り算出することができる。
【数２】
2020518848.tif 000004
ここで、
【数３】
2020518848.tif 000005
は、オーバーレイ及びバイアスによる位相差であり、
【数４】
2020518848.tif 000006
は、上層から回析された放射線と下層から回析された放射線との残りの位相差であり、上部周期構造と下部周期構造との間の層の厚さＴに比例し、入射放射線の波長に反比例する。
【００７４】
[00100]  便宜上、１つの周期構造方向（例えば、Ｘ）における４つの強度は、以下の通り指定することができる。
−  ＰＢＮ（正のバイアス周期構造からの＋１次回折）
−  ＰＢＣ（正のバイアス周期構造からの−１次回折）
−  ＮＢＮ（負のバイアス周期構造からの＋１次回折）
−  ＮＢＣ（負のバイアス周期構造からの−１次回折）
したがって、ΔＩＰＢは、ＰＢＮ−ＰＢＣとして指定することができ、ΔＩＮＢは、ＮＢＮ−ＮＢＣとして指定することができる。次いで、＋１次及び−１次放射線からの回析された波の振幅及び位相（オーバーレイ位相を除く）が等しく、また、正のバイアス及び負のバイアス周期構造からの回析された波の振幅及び位相も等しく、メトロロジデバイスの光学機器自体が対称であると仮定すると、＋１次放射線の強度と−１次放射線の強度との差は、ΔＩ＝Ｋ．ｓｉｎ（ΦＯＶ）として導出され、Ｋは、オーバーレイ比例係数であり、Ｋ＝４Ａ．Ｂ．ｓｉｎ（β）に等しい。したがって、オーバーレイは、以下の通り算出することができる。
【数５】
2020518848.tif 000007
【００７５】
[00101]  ここで、図１１Ｄは、構造的非対称性、この場合には第１の構造における構造的非対称性（下方又は底部構造非対称性）の現象を概略的に示す。図１１Ａ〜図１１Ｃでの周期構造内のフィーチャは、完全に四角形の面で示されているが、現実のフィーチャは、面にいくらかの傾斜及びある程度の粗さを有する。それにもかかわらず、それらは、プロファイルが少なくとも対称であるように意図されている。図１１Ｄでの第１の構造のフィーチャ６０２及び／又は空間６０４は、もはや全く対称形ではなく、１つ又は複数の処理ステップによって歪められている。したがって、例えば、各空間の底面は傾斜している（底壁傾斜）。例えば、フィーチャ及び空間の側壁角度が非対称になっている。この結果、ターゲットの全体的なターゲット非対称性は、構造的非対称性とは無関係のオーバーレイ寄与（すなわち、第１の構造と第２の構造のミスアライメントによるオーバーレイ寄与；それ自体、オーバーレイ誤差と任意の既知の課されたバイアスとからなる）と、ターゲットにおけるこの構造的非対称性による構造的寄与とを含む。
【００７６】
[00102]  バイアス周期構造を２つだけ使用して図１０の方法によってオーバーレイが測定されるとき、プロセスに起因する構造的非対称性は、ミスアライメントによるオーバーレイ寄与と区別することができず、結果としてオーバーレイ測定（特に、望ましくないオーバーレイ誤差の測定）は信頼できないものとなる。ターゲットの第１の構造（底部周期構造）における構造的非対称性は、構造的非対称性の一般的な形態である。この構造的非対称性は、例えば、第１の構造が最初に形成された後に実施される化学機械研磨（ＣＭＰ）などの基板処理ステップで発生し得る。
【００７７】
[00103]  図１３は、構造的非対称性、例えば図１１Ｄに示される底部周期構造非対称性を導入する第１の効果を示す。「理想的な」正弦曲線７０２は、もはや当てはまらない。しかし、少なくとも概して、底部周期構造非対称性又は他の構造的非対称性は、強度非対称性Ａ±ｄに強度シフト項Ｋ０及び位相シフト項φを加える効果を有する。結果として得られる曲線は、グラフ中に符号７１２として示され、ラベルＫ０は強度シフト項を示し、ラベルφは位相オフセット項を示す。強度シフト項Ｋ０及び位相シフト項φは、ターゲットと、測定放射線の選択された特徴、例えば測定放射線の波長及び／又は偏光との組合せに依存し、プロセス変動に敏感である。等式としては、ステップＳ６での算出に使用される関係は以下のようになる。
Ａ±ｄ＝Ｋ０＋Ｋｓｉｎ（ＯＶＥ±ｄ＋φ）      （５）
【００７８】
[00104]  構造的非対称性がある場合、式（２）によって記述されるオーバーレイモデルは、強度シフト項Ｋ０及び位相シフト項φによって影響を及ぼされるオーバーレイ誤差値を提供し、結果として不正確になる。また、構造的非対称性は、強度及び位相シフトが例えば波長及び／又は偏光に依存するので、オーバーレイ誤差をマッピングするときに、１つ又は複数の異なる測定パラメータ（例えば測定ビームの波長や測定ビームの偏光など）を使用する同じターゲットの測定の差をもたらす。
【００７９】
[00105]  修正されたステップＳ６のオーバーレイ算出は、いくつかの仮定に依拠する。第１に、強度非対称性がオーバーレイの正弦関数として挙動し、周期Ｐが格子ピッチに対応すると仮定する。これらの仮定は、現在のオーバーレイ範囲に有効である。小さいピッチ−波長比は、格子からの少数の伝播回折次数のみを可能にするので、高調波の数を小さく設計することができる。しかし、実際には、ミスアライメントによる強度非対称性に対するオーバーレイ寄与は、必ずしも真に正弦波形ではないことがあり、またＯＶ＝０に関して必ずしも完全に対称ではないことがある。
【００８０】
[00106]  したがって、構造的非対称性の効果は、概して以下のように定式化することができる。
ΔＩ＋＝Ｋ（ＯＶ＋ｄ）＋ΔＩＢＧ      （６）
ΔＩ−＝Ｋ（ＯＶ−ｄ）＋ΔＩＢＧ      （７）
ここで、ΔＩ−（Ａ−とも同義）及びΔＩ＋（Ａ＋とも同義）は、測定された強度非対称性を表し、ΔＩＢＧは、強度非対称性に対する構造的非対称性の寄与である。したがって、オーバーレイ誤差ΔＯＶは、ΔＩＢＧ／Ｋの関数とみなすことができる。
【００８１】
[00107]  ここで、ターゲット内の構造的非対称性に加えて、又はその代わりに、ターゲットの隣接する周期構造間又は隣接するターゲット間のスタック差が、オーバーレイ測定などの測定の精度に悪影響を及ぼす因子となり得ることがさらに明らかになっている。スタック差は、隣接する周期構造又はターゲット間の物理的構成の設計外の相違と理解することができる。スタック差は、隣接する周期構造又はターゲットにおいてよくあるオーバーレイ誤差以外、意図的なバイアス以外、及び構造的非対称性以外による、隣接する周期構造又はターゲット間の測定放射線の光学特性（例えば強度や偏光など）の差を引き起こす。スタック差は、限定はしないが、隣接する周期構造又はターゲット間の厚さの差（例えば、１つの周期構造又はターゲットが、実質的に等しいレベルになるように設計された別の周期構造又はターゲットよりも高くなる又は低くなるような、１つ又は複数の層の厚さの差）、隣接する周期構造又はターゲット間の屈折率の差（例えば、実質的に等しい合成屈折率を有するように設計されたとしても、１つの周期構造又はターゲットに関する１つ又は複数の層に関する合成屈折率が、別の周期構造又はターゲットに関する１つ又は複数の層に関する合成屈折率とは異なるような、１つ又は複数の層の屈折率の差）、隣接する周期構造又はターゲット間の材料の相違（例えば、実質的に同じ材料を有するように設計された、１つの周期構造又はターゲットと別の周期構造又はターゲットとに関する材料の相違が存在するような、１つ又は複数の層の材料タイプや材料均一性などの相違）、隣接する周期構造又はターゲットの構造の格子周期の差（例えば、実質的に同じ格子周期を有するように設計された、１つの周期構造又はターゲットと別の周期構造又はターゲットとに関する格子周期の差）、隣接する周期構造又はターゲットの構造の深さの差（例えば、実質的に同じ深さを有するように設計された、１つの周期構造又はターゲットと別の周期構造又はターゲットとの構造の深さのエッチングによる差）、隣接する周期構造又はターゲットのフィーチャの幅（ＣＤ）の差（例えば、フィーチャの実質的に同じ幅を有するように設計された、１つの周期構造又はターゲットと別の周期構造又はターゲットとのフィーチャの幅の差）などを含む。いくつかの例では、スタック差は、パターニングプロセスにおいて、ＣＭＰ、層堆積、エッチングなどの処理ステップによって導入される。一実施形態では、互いに２００μｍ以内、互いに１５０μｍ以内、互いに１００μｍ以内、互いに７５μｍ以内、互いに５０μｍ以内、互いに４０μｍ以内、互いに３０μｍ以内、互いに２０μｍ以内、又は互いに１０μｍ以内にある場合、周期構造又はターゲットは隣接している。
【００８２】
[00108]  スタック差（格子間の格子不均衡と呼ぶこともできる）の効果は、概して以下のように定式化することができる。
ΔＩ＋＝（Ｋ＋ΔＫ）（ＯＶ＋ｄ）      （８）
ΔＩ−＝（Ｋ−ΔＫ）（ＯＶ−ｄ）      （９）
ここで、ΔＫは、スタック差に起因するオーバーレイ感度の差を表す。したがって、オーバーレイ誤差ΔＯＶは、
【数６】
2020518848.tif 000008
に比例し得る。
【００８３】
[00109]  したがって、スタック差を特徴付けるために、１つ又は複数のスタック差パラメータを定義することができる。上記のように、スタック差パラメータは、隣接する周期構造又はターゲットの設計外の異なる物理的構成の尺度である。一実施形態では、スタック差パラメータは、隣接する周期構造又はターゲットの断面を評価することから決定することができる。
【００８４】
[00110]  一実施形態では、スタック差パラメータは、上側格子が適用される前に下側隣接格子を評価することによって、複合格子の下側隣接格子に関して決定することができる。一実施形態では、スタック差パラメータは、隣接する周期構造若しくはターゲットの光学測定量から、又は隣接する周期構造若しくはターゲットの断面積からの、隣接する周期構造若しくはターゲットの再構成により導出することができる。すなわち、物理的寸法、特徴、材料特性などが再構成され、隣接する周期構造又はターゲット間の差が、スタック差パラメータに達するように決定される。
【００８５】
[00111]  スタック差パラメータの一実施形態は、以下のように定義することができる周期構造強度不均衡（ＧＩ）である。
【数７】
2020518848.tif 000009
ここで、
【数８】
2020518848.tif 000010
は、＋ｄバイアスを有する第１の周期構造によって回折された＋１次回折強度信号
【数９】
2020518848.tif 000011
と、＋ｄバイアスを有する第１の周期構造によって回折された−１次回折強度信号
【数１０】
2020518848.tif 000012
との平均値である。同様に、
【数１１】
2020518848.tif 000013
は、−ｄバイアスを有する第２の周期構造によって回折された＋１次回折強度信号
【数１２】
2020518848.tif 000014
と、−ｄバイアスを有する第２の周期構造によって回折された−１次回折強度信号
【数１３】
2020518848.tif 000015
との平均値である。一実施形態では、周期構造強度不均衡（ＧＩ）は、
【数１４】
2020518848.tif 000016
などの導出バージョンでよい。
【００８６】
[00112]  上述したオーバーレイ算出方法の問題は、その導出に対して置かれた仮定を維持できない場合が多いことである。例えば、光路特性及び／又は放射源は、通常の放射線と相補的な放射線とで完全に対称ではない場合があり、これは、実際の回折強度と混同する可能性がある。それに加えて又はその代替として、メトロロジターゲットは、構造的に対称ではない。上記のように、これは、通常、パターニングプロセスの処理ステップが原因で起こる。非対称的な挙動は、例えば、ターゲットの下部周期構造の構造的非対称性（ＢＧＡ）に起因して及び／又は正のバイアス周期構造と負のバイアス周期構造とのスタック差に起因して（周期構造強度不均衡（ＧＩ）によって特徴付けることができる）、通常の強度と相補的な強度との間で起こり得る。
【００８７】
[00113]  そのような非対称性から生じる１つ又は複数の誤差を解消する上で役立てるため、較正を使用して、例えば、光路特性及び／又は放射源における非対称性にある程度対処することができる。そして、ターゲットにおける物理的な違い（例えば、下部周期構造の構造的非対称性（ＢＧＡ）及び／又はスタック差）に関し、１つ又は複数の測定規準（スタック差の場合は周期構造強度不均衡（ＧＩ）など）を使用して、例えば、問題となる可能性が低い波長を識別することができる。例えば、波長スペクトルの良い領域の予測を試みる間接的な測定規準に基づいて、「最良の」波長を選ぶことができる。そのような「最良の」波長の識別は、測定規準が時折合わないことを考慮しても、非常に難易度の高いタスクである。その上、選択された「最良の」波長でさえ、オーバーレイの精度が常に最適であると確信できるわけではない。
【００８８】
[00114]  したがって、新しいオーバーレイ決定技法を使用してこれらの誤差の対処及び／又は補正を行えることが望ましい。そのようなオーバーレイ決定技法は、様々な用途において使用することができる。第１の例示的な用途は、例えば、パターニングプロセスの例えば制御、設計などにおける使用のためにパターニングプロセスの実行の一部としてオーバーレイ値を導出するために、大量に又は製造中に所望のオーバーレイ値を導出することである。別の例示的な用途は、例えば、測定のために使用される放射線波長などのメトロロジプロセスの条件を選択するために、メトロロジプロセスの設計、制御などにおける使用のためにオーバーレイ値を導出することである（メトロロジプロセスは、方程式（１）〜（４）に関して上述した技法などの異なるオーバーレイ算出技法を使用することができる）。
【００８９】
[00115]  新しいオーバーレイ決定技法の実施形態では、オーバーレイ誤差によって生じるものを除いた放射線におけるいくつかの非対称性を考慮し、正確なオーバーレイを測定するように設計された（例えば、ターゲット非対称性及び／又はセンサ非対称性に対してロバストな）数学的モデルが使用される。一実施形態では、モデルは、複数の異なる波長に基づく方程式を伴う。一実施形態では、その変数として４つの異なる波長を有する１６個の連立方程式が提供される。したがって、この実施形態では、オーバーレイ値を導出するため、４つの異なる波長に対して測定量が得られ、１６個の連立方程式が解かれ、方程式は、例えば、１６個の未知数を有する。
【００９０】
[00116]  以下では、４つの異なる波長に基づく、図１１Ｅに示されるものなどのターゲットに対する、１組の方程式の例が提示されている。具体的には、その方程式は、特定のオーバーレイ方向（例えば、Ｘ又はＹ方向）及びそのオーバーレイ方向と関連付けられたサブターゲットに対するものである。例えば、その方程式は、Ｘ方向におけるオーバーレイを測定するためのサブターゲット６１２及び６１４の組合せに対するものであり得、サブターゲット６１２は＋ｄのバイアスを有し、サブターゲット６１４は−ｄのバイアスを有する。或いは、その方程式は、Ｙ方向におけるオーバーレイを測定するためのサブターゲット６１６及び６１８の組合せに対するものであり得、サブターゲット６１６は＋ｄのバイアスを有し、サブターゲット６１８は−ｄのバイアスを有する。連立方程式は、以下の式を含む。
【数１５】
2020518848.tif 000017
【数１６】
2020518848.tif 000018
【数１７】
2020518848.tif 000019
ここで、Ｆ１…Ｆ１６は、最適化（例えば、それらの絶対値を最小化する）のための関数であり、ＯＶは、オーバーレイであり、λ１…λ４は、測定のためにターゲットを照明するように使用された照明測定放射線の異なる波長であり、Ａは、サブターゲットの上部周期構造から回析された波の振幅であり、Ｂ１…Ｂ４は、サブターゲットの下部周期構造から回析された波の振幅であり（この場合、４つの変数Ｂが存在し、各々は、サブターゲットと回折次数の組合せのそれぞれと関連付けられ、以下でさらに説明されるように特定の方法で互いに異なり得る（例えば、無関係であり得る）（例えば、異なる値を有する））、β１…β４は、下部周期構造に入射する放射線と上部周期構造に入射する放射線との間で生じる位相差であり（この例では、４つの変数βが存在し、各々は、サブターゲットと回折次数の組合せのそれぞれと関連付けられ、以下でさらに説明されるように特定の方法で互いに異なり得る（例えば、異なる値を有する））、Ｐは、ターゲットのピッチであり、ｄは、ターゲットのバイアスであり、α１及びα２は、センサ非対称性誤差を説明する係数であり（この例では、２つの変数αが存在し、各々は、回折次数のそれぞれと関連付けられ、以下でさらに説明されるように特定の方法で互いに異なり得る（例えば、異なる値を有する））、γ１…γ４は、異なる波長による測定の間の照明測定放射線強度の変化を説明する係数であり（具体的には、通常は異なる時間に行われるため、強度は、異なる波長で測定すると変化させることができる、及び／又は、強度は、異なる波長を得るために変化させることができ、その数は、波長の数に等しい）、ＩＰＢＮ、ＩＰＢＣ、ＩＮＢＮ及びＩＮＢＣは、それぞれ識別された波長λ１…λ４の放射線を使用して測定された抽出平均強度であり、それぞれが、正のバイアス周期構造（例えば、サブターゲット６１２）からの＋１次回折の放射線（ＰＢＮ）、正のバイアス周期構造（例えば、サブターゲット６１２）からの−１次回折（ＰＢＣ）、負のバイアス周期構造（例えば、サブターゲット６１４）からの＋１次回折（ＮＢＮ）、及び、負のバイアス周期構造（例えば、サブターゲット６１４）からの−１次回折（ＮＢＣ）に対応する。
【００９１】
[00117]  この例では、４つの異なる波長が使用されているが、異なる数の波長を使用することができる。例えば、様々な仮定を置けば、２つの波長を使用することができる。別の例として、４つを超える波長を使用することができる。４つを超える（又は２つを超える）波長からの情報の追加は、変動に対するモデルのロバスト性を増大するために使用することができる。それに加えて又はその代替として、４つを超える波長を使用して、スポット不均一性（具体的には、正のバイアス強度と負のバイアス強度との間で異なるセンサからの非対称性）などの追加の未知のパラメータを決定することができる。
【００９２】
[00118]  一実施形態では、連立方程式において異なる誤差発生源を考慮することができる。例えば、一実施形態では、正の次数（例えば、＋１次）放射線と負の次数（例えば、−１次）放射線との間のセンサ非対称性、ターゲットの構造的非対称性及び／又はターゲット内のスタック差。
【００９３】
[00119]  一実施形態では、正の次数（例えば、＋１次）放射線と負の次数（例えば、−１次）放射線との間のセンサ非対称性は、異なる変数α１及びα２を有することで説明される。一実施形態では、α１は、正の次数（例えば、＋１次）放射線に対応し、α２は、負の次数（例えば、−１次）放射線に対応する。通常、オーバーレイを決定するために方程式が評価される際は、α１とα２は異なる値を有する。
【００９４】
[00120]  一実施形態では、ターゲットの構造的非対称性は、特定の異なる振幅Ｂ変数及び特定の異なるβ変数を有することで説明される。具体的には、一実施形態では、測定された放射線の特定の回折次数（例えば、＋１次）の正値に対する放射線の振幅変数（例えば、Ｂ１及び／又はＢ３）は、測定された放射線の特定の回折次数（例えば、−１次）の負値に対する放射線の振幅変数（例えば、Ｂ１及び／又はＢ３に対してそれぞれＢ２及び／又はＢ４）とは異なり、測定された放射線の特定の回折次数の正値に対する放射線の少なくとも位相変数（例えば、β１及び／又はβ３）は、測定された放射線の特定の回折次数の負値に対する放射線の位相変数（例えば、β１及び／又はβ３に対してそれぞれβ２及び／又はβ４）とは異なる。一実施形態では、Ｂ１、Ｂ３、β１及び／又はβ３は、＋１次放射線に対応し、Ｂ２、Ｂ４、β２及び／又はβ４は、−１次放射線に対応する。通常は何らかのターゲット非対称性が存在するため、オーバーレイを決定するために方程式が評価される際は、Ｂ１とＢ２、Ｂ３とＢ４、β１とβ２、β３とβ４は異なる値を有する。
【００９５】
[00121]  一実施形態では、ターゲット内のスタック差は、特定の異なる振幅Ｂ変数及び特定の異なるβ変数を有することで説明される。具体的には、一実施形態では、正のバイアス（例えば、＋ｄ）を有するターゲットのサブターゲットに対する放射線の振幅変数（例えば、Ｂ１及び／又はＢ２）は、負のバイアス（例えば、−ｄ）を有するターゲットのサブターゲットに対する放射線の振幅変数（例えば、Ｂ１及び／又はＢ２に対してそれぞれＢ３及び／又はＢ４）とは異なり、正のバイアス（例えば、＋ｄ）を有するターゲットのサブターゲットに対する放射線の少なくとも位相変数（例えば、β１及び／又はβ２）は、負のバイアス（例えば、−ｄ）を有するターゲットのサブターゲットに対する放射線の位相変数（例えば、β１及び／又はβ２に対してそれぞれβ３及び／又はβ４）とは異なる。一実施形態では、Ｂ１、Ｂ２、β１及び／又はβ２は、正のバイアスを有するターゲットのサブターゲットに対応し、Ｂ３、Ｂ４、β３及び／又はβ４は、負のバイアスを有するターゲットのサブターゲットに対応する。通常は何らかのスタック差が存在するため、オーバーレイを決定するために方程式が評価される際は、Ｂ１とＢ３、Ｂ２とＢ４、β１とβ３、β２とβ４は異なる値を有する。
【００９６】
[00122]  さらなる実施形態では、連立方程式（９）〜（２４）は、振幅（Ａ、Ｂなど）に対応する変数が照明条件（例えば、波長）によって決まり、補正パラメータ（α１及びα２など）に対応する変数が必ずしも照明条件（例えば、波長）によって決まるとは限らないように、形成することができる。連立方程式（９）〜（２４）は、方程式（９）〜（２４）の右側の項の各々に加える追加のオフセット定数を含み得る。
【００９７】
[00123]  したがって、方程式（９）〜（２４）を評価するため、ターゲットの平均強度は、４つの異なる波長に対して、図１０に関して上述するように（例えば、パターン認識方法によって）抽出される。具体的には、一実施形態では、ＩＰＢＮ、ＩＰＢＣ、ＩＮＢＮ及びＩＮＢＣは、λ１…λ４の各々に対して得られ、１６個の強度値をもたらす。さらに、ピッチＰ、バイアスｄ及び波長値λ１…λ４は、方程式において既知数である。したがって、１６個の未知数（すなわち、オーバーレイＯＶ、振幅Ａ、振幅Ｂ１…Ｂ４、位相差β１…β４、センサ非対称性誤差係数α１及びα２、並びに、照明測定放射線強度係数γ１…γ４）が存在する。次いで、少なくともオーバーレイＯＶの値に達するように、非線形方程式を解くための技法を使用して、方程式（９）〜（２４）が解かれる。
【００９８】
[00124]  したがって、一実施形態では、モデルのパラメータを得るため（及びオーバーレイＯＶの値を導出するため）、方程式の最適化問題を公式化し、１つ又は複数の公知の非線形方程式解法を使用して解くことができる。内点法及び信頼領域法アルゴリズムなどの最適化問題を解くため、１つ又は複数の様々なアルゴリズムを使用することができる。その上、目的関数の勾配の解析的計算及びその算出された勾配を用いた最適化アルゴリズムの提供により、収束速度及び結果の精度を著しく増加させることができる。
【００９９】
[00125]  ここでは、方程式を解くための技法の特定の非限定的な例について論じる。最終的な最適化問題のより明確な提示に対し、いくつかの補助変数、すなわち、
【数１８】
2020518848.tif 000020
が定義される。したがって、最適化問題は、以下の目的関数として記載することができる。
【数１９】
2020518848.tif 000021
条件：ｌｂ≦ｘ≦ｕｂ
ここで、
【数２０】
2020518848.tif 000022
であり、ｌｂ及びｕｂはそれぞれ、変数の下限及び上限であり、最適化アルゴリズムの検索空間制限を厳しくするために定義される。限度は、変数の物理的解釈（例えば、Ａ、Ｂｉは回析された波の振幅を表し、βｉは２層間の回析された波の位相差を表す）に基づいて事前決定される。
【０１００】
[00126]  この非線形制約最適化問題を効率的に解くため、一実施形態では、非線形最適法アルゴリズムは、局所的最適解のみに達することを避けるため及び収束速度を増加させるために、いくつかの数学的な技法と共に組み合わされる。以下では、アルゴリズムの概要及び問題を解くために取るステップを提供する。
１．  パラメータの値の物理的知識に基づいて限度ｌｂ、ｕｂを定義する。
２．  目的関数のｘｉを
【数２１】
2020518848.tif 000023
に置き換える。したがって、結果として得られる最適化問題（新しい変数
【数２２】
2020518848.tif 000024
に基づく）は、制約を受けないものである。
３．  Ｆ’のヤコビアンを算出する。
【数２３】
2020518848.tif 000025
４．  ｎ＜Ｎの場合、
４．１  Ｕｎｉｆｏｒｍ（０，π）から初期点ｘ’（０）を引き出す。
４．２  ｋ≧０の場合
修正されたレーベンバーグ・マルカート反復アルゴリズムを使用して、ｘ’（ｋ＋１）を算出する。
【数２４】
2020518848.tif 000026
目的関数の勾配▽Ｊ（ｘ（ｋ＋１））＝２▽Ｆ’（ｘ（ｋ＋１））Ｆ’（ｘ（ｋ＋１））を演算し、ゼロに非常に近い場合は、勾配ベクトルの最大絶対値を停止基準として取り入れる。そうでなければ、ｘの値又は目的関数の相対変化を停止基準として取り入れる。
４．３  ループ反復ｎに対応する局所的最適解ｘ＊及びＪ＊を格納する。また、満たされている対応する停止基準を報告する。外ループカウンタ（最適化の多スタートのために使用される）をｎ＋１に増加する。
５．  最適な目的関数の最小値Ｊ＊を算出する（以前のステップのランダムな初期点に対して得られる）。最小最適値に対し、対応する停止基準が勾配関連のものであった（すなわち、勾配がゼロに非常に近い）かどうかをチェックする。この場合、考えられる大域的解としてこの目的値及び対応する最適点を報告する。
【０１０１】
[00127]  上記の開示は、多波長（例えば、前述の方程式のλ１…λ４）でターゲットの複数の測定を実行することによって連立方程式（例えば、方程式（９）〜（２４））を得ることについて説明する。しかし、波長は、照明条件の単なる一例であり、連立方程式を得るために変更することができる。したがって、本明細書に記載の概念は、より一般に、照明放射線の照明条件の変更に適用することができる。例えば、変更できる他の照明条件は、偏光又は入射角を含む。
【０１０２】
[00128]  異なる波長の像を組み合わせることが役立つ理由は、モデルパラメータの多くが波長依存性（後にさらに詳細に説明されるように、いわゆるスイング曲線にまとめられる依存性）を有するという事実にある。したがって、異なる波長の像は、共に撮られるセンサ及びターゲットの独立したサンプリングと考えられる（したがって、すべての誤差発生源とオーバーレイが組み合わされる）。この独立性は重要である。すなわち、各像は、独特の情報を提供し、厳選されたモデルによって組み合わせたり分離したりすることができる。また、異なる偏光での測定は、スタックとの光の異なる相互作用を浮き彫りにし、したがって、独立したもの（少なくとも部分的に）である。異なる入射角に関連する測定は、今から説明するように、さらなる考慮を必要とし得る。
【０１０３】
[00129]  図７Ａに示されるものなどの多くのメトロロジデバイスでは、照明プロファイル（延いては、どの入射角でターゲットに透過させるか）を決定するのはアパーチャ１３である。波長と同様に、入射角はスイング曲線に大きく寄与し（波の干渉及びスタック材料特性による）、したがって、異なる入射角（すなわち、瞳の異なるポイント）は、システムの独立したサンプリングを提供することができる。スイング曲線の概念は、以下でさらに詳細に説明する。理想的には、各波は、独立してサンプリングすべきである（すなわち、異なる角度にわたってレーザを走査することによって）。しかし、通常のメトロロジ照明源は、異なる角度で一連の波を同時に放出する（それは部分コヒーレント光源であるため）。したがって、瞳のサンプリングは、現在、アパーチャに左右される。利用可能なアパーチャの多くは、互いに対して重複する照明プロファイルを有し、したがって、完全に独立したサンプルを提供することはない。これは、異なる波長で撮られた像とは根本的に異なる（波長は、スペクトル重複が全く又はほとんどない）。
【０１０４】
[00130]  したがって、照明条件の変更が入射角にまで及ぶいくつかの方法を説明する。そのような方法は、方程式（９）〜（２４）によって説明されるものなどの複数像オーバーレイ抽出アルゴリズムに供給することができる独立した像の数を著しく増加することができる。中心となる考えは、瞳の考えられる最小の独特のセクションを使用して、別個の取得が実行されることである。これは、多くの方法で実施することができ、そのうちのいくつかを示す。
【０１０５】
[00131]  ハードウェア変更を必要としない第１の方法は、現在利用可能なアパーチャを使用して像を取得し、取得された強度の線形結合を行い、それにより、本質的に独立した瞳サンプリングを作ることを含む。関与しているすべての波のインコヒーレント和によって像が形成されるため、これは有効な手法である。例えば、第１の照明プロファイルを定義する第１のアパーチャプレートを使用して像Ａを取得し、第２の照明プロファイルを定義する第２のアパーチャプレートを使用して像Ｂを取得することができ、第１及び第２の照明プロファイルは、第１の照明プロファイルが第２の照明プロファイル内に（空間的に）完全に含まれるように重複する。像が正しくアライメントされた時点で、新しい導出像Ｃ（例えば、慎重な正規化の後、例えば、エネルギーセンサ読取による）を得るために、取得像Ｂと取得像Ａとの違いを決定することができる。したがって、像Ｃは、第１のアパーチャプロファイル外（ただし、第２のアパーチャプロファイル内）の波からの情報を（主に）含む。したがって、取得像Ａ及び導出像Ｃは、実質的に独立したものであるべきであり、方程式（９）〜（２４）によって説明されるアルゴリズムで使用することができ、λｎの項は、ここでは、異なる像延いては異なる入射角を示す。したがって、利用可能な異なるアパーチャプレートから、独立した瞳サンプリングの異なるベースを構築することができる。上記の線形結合の例は２つの像の違いを含むが、その概念は、ターゲットの実際のスイング曲線とよりうまく一致する異なるベースを得るために、２つを超える像の線形結合の使用にも当てはまると述べてもよい。
【０１０６】
[00132]  この方法の利点は、サンプリング領域より大きくなるように、各測定に使用されるアパーチャプレートを選べることであり、それは、像におけるぶれ及びエッジ効果が最小限に維持され、ハードウェア変更を必要としないことを意味する。
【０１０７】
[00133]  別の方法では、アパーチャプロファイルは、複数の非重複プロファイルを定義するために選択可能なものであり得る。例えば、アパーチャプロファイル（又は複数のアパーチャプロファイル）は、照明モードセレクタ（ＩＭＳ）に追加することができ、照明モードセレクタ（ＩＭＳ）は、小さなステップでＩＭＳホイールを回転させることによって、瞳にわたって連続的に移動させることができる。このように、瞳を連続的にサンプリングすることができ、最適なサンプリングを識別することができる。これにより、サンプリングされるアパーチャプロファイルの領域は固定されないため、第１の解決法より高い柔軟性が提供される。また、これらの小さなアパーチャプロファイルによる像ぶれは、サンプリングにわたって同じになる。異なる長さのいくつかのそのようなアパーチャプロファイルは、第１の手法で説明されるように、同じ方法で組み合わせることができ、それにより、より一層優れた基盤が得られる。アパーチャは、暗視野像がひどくぼやけるほど小さくならないようにすべきであることに留意されたい。
【０１０８】
[00134]  上記の解決法は、対物レンズの前の大きな瞳エリアを遮断するため、追加の時間を要する順次取得を必要とする。しかし、瞳の異なる部分を検知カメラの異なる領域（例えば、シングルショットで測定された４つの四分円）に投影するウェッジプリズムを使用することによって、異なる角度で移動する波の並列取得を得ることができる。瞳の四分円のより小さな領域を検知カメラの別々の領域に投影することによって、このウェッジのアイデアをさらに取り入れると、「ハイパースペクトル」セットアップで測定されている平行波長と同義である「ハイパーアングル」測定が可能になる。そのようなシステムは、細かくセグメント化されたウェッジ又は空間光変調器（ＳＬＭ）（画素ごとに光の位相が変化する）を使用して実施することができる。ＳＬＭは、ウェッジに取って代わることができ、同時にサンプリングされる瞳領域の動的選択が可能になる（これは、適切な解像度を維持するため、等しい画素密度において、検知カメラに対して現在使用されているものより大きな総ＣＣＤエリアを必要とし得る）。
【０１０９】
[00135]  基板上の異なるターゲットに対するパラメータ値の挙動は、比較可能であり、安定しているように見えることが分かっている。したがって、パラメータ最適化のための検索空間の範囲を制限するために少数のターゲットからの結果を使用することが可能であり、それにより、最適化アルゴリズムの収束速度を著しく上げることができる。
【０１１０】
[00136]  したがって、図１４を参照すると、上述した多波長技法に関与する方法の実施形態が概略的に示されている。１４００では、本明細書に記載の連立方程式が提供される。例えば、連立方程式は、１６個以上の方程式を有することができ、オーバーレイ及び測定放射線波長の関数である。１４１０では、連立方程式を解く際に使用するための放射線値が得られる。一実施形態では、放射線値は、物理的な基板上の物理的なターゲットから測定することができる。一実施形態では、放射線値は、メトロロジターゲットの照明と、メトロロジターゲットによって再誘導された放射線の検出とをシミュレーションするシミュレータよって決定することができる。１４２０では、方程式の１つ又は複数のパラメータの値を求めるために、連立方程式で放射線値が使用される。一実施形態では、値を求めるパラメータは、オーバーレイである。一実施形態では、上述した最適化技法の１つ又は複数を使用することができる。１４３０では、アプリケーションは、１つ又は複数の値を求めるパラメータでできている。例えば、値を求めるパラメータは、大量に又は製造の一部として決定されたオーバーレイであり得、例えば、パターニングプロセスの側面の制御、設計などを行うために使用することができる。別の例として、値を求めるパラメータは、例えば、測定のために使用される放射線波長などのメトロロジプロセスの条件を選択するために、メトロロジプロセスの設計、制御などにおいて使用するために決定されたオーバーレイであり得る（メトロロジプロセスは、方程式（１）〜（４）に関して上述した技法などの異なるオーバーレイ算出技法を使用することができる）。メトロロジプロセスの設計、制御などにおいて使用するために決定されたオーバーレイの使用例は、図１５に関連して以下で説明される。
【０１１１】
[00137]  要するに、回折メトロロジターゲットから放射線散乱問題のいくつかのパラメータを考慮することに基づく正確なオーバーレイを決定するための新しい物理的なモデルが提供される。この方法は、オーバーレイのより正確な決定を提供すること及び／又はオーバーレイのロバストな算出を提供することができる。一実施形態では、これは、散乱問題の数学的記述に基づいて達成され、複数の周期構造のうちの各周期構造に対し及び波形成の２つの回折次数に対し、非線形連立方程式の１組のパラメータが形成され、そのようなパラメータの少なくともいくつかとして複数の波長及びオーバーレイを含む。この記述により、複数の放射線値（例えば、１６個の測定された又はシミュレーションされた強度値）を得るために、複数の異なる波長（例えば、４つの異なる波長）で少なくとも２つの周期構造（２つの周期構造はそれぞれ正及び負のバイアスを有する）の２つの回折次数を測定するだけで十分であり得る。少なくとも複数の放射線値及び波長を既知値とすることで、非線形連立方程式を解くことができ、散乱問題のいくつかのパラメータ（オーバーレイを含む）は未知数である。
【０１１２】
[00138]  その上、連立方程式は、オーバーレイを算出する際に、構造的非対称性、スタック差及び／又はセンサ非対称性の影響を特異的に考慮することができる。すなわち、連立方程式の１つ又は複数のパラメータは、本明細書に記載されるように、オーバーレイ値の決定において構造的非対称性、スタック差及び／又はセンサ非対称性の影響を組み込むように構成される。したがって、この方法は、オーバーレイのより正確な推定を提供することができる。その上、センサ非対称性の場合、この方法は、本明細書に記載されるようにセンサ非対称性向けの１つ又は複数のパラメータで構成されると、センサ非対称性を取り除くために使用される１８０度の基板回転からの追加の情報の必要性を回避することができる。これは、連立方程式にセンサ非対称性向けの１つ又は複数のパラメータを有することで、オーバーレイ決定がセンサ非対称性を直接説明できるためである。
【０１１３】
[00139]  上記のように、本明細書に記載の技法は、メトロロジ装置のデフォルトオーバーレイ算出方法として使用することができる（例えば、方程式（２）又は方程式（４）を使用する代わりに）。スループットの観点からは、この技法の使用は、例えば、波長間の切り替えが十分に速い場合及び／又は連立方程式を解くのが十分に速い場合に可能であり得る。ハードウェアの発展と共に、異なる波長間で切り替えるための高速ハードウェアスイッチを使用することによって多波長での実際の測定が可能である。それに加えて、本明細書に記載の解法は、例えば、オーバーレイ値を得るために、非線形連立方程式を解くという観点から、速度の向上を可能にすることができる。したがって、この技法は、デフォルトオーバーレイ算出方法として有望視される。
【０１１４】
[00140]  さらに、ターゲットの測定精度及び／又は感度は、ターゲット自体の１つ若しくは複数の属性、及び／又はターゲットに提供される測定放射線の１つ若しくは複数の属性、例えば、放射線の波長、放射線の偏光、及び／又は放射線の強度分布（すなわち角度若しくは空間強度分布）に関して変化し得る。一実施形態では、放射線の波長範囲は、ある範囲から選択される（例えば、約４００ｎｍ〜９００ｎｍの範囲から選択される）１つ又は複数の波長に制限される。さらに、放射ビームの異なる偏光の選択を提供することができ、例えば複数の異なるアパーチャを使用して様々な照明形状を提供することができる。
【０１１５】
[00141]  したがって、そのような選択及び測定を可能にするために、測定システムを使用する測定の１つ又は複数のパラメータを指定するメトロロジレシピを用いることができる。一実施形態では、「メトロロジレシピ」という用語は、測定自体の１つ若しくは複数のパラメータ、測定されたターゲットのパターンの１つ若しくは複数のパラメータ、又はそれら両方を含む。
【０１１６】
[00142]  これに関連して、測定されるターゲットのパターン（「ターゲット」又は「ターゲット構造」とも呼ばれる）は、光学的に測定されるパターン、例えばその回折が測定されるパターンでよい。測定されるターゲットのパターンは、測定目的のために特に設計又は選択されたパターンでよい。ターゲットの複数のコピーが基板上の多くの場所に配置されてもよい。
【０１１７】
[00143]  一実施形態では、メトロロジレシピが測定自体の１つ又は複数のパラメータを含む場合、測定自体の１つ又は複数のパラメータは、測定を行うために使用される測定ビーム及び／又は測定装置に関する１つ又は複数のパラメータを含むことがある。例えば、メトロロジレシピで使用される測定が回折ベースの光学測定である場合、測定自体の１つ又は複数のパラメータは、測定放射線の波長、及び／又は測定放射線の偏光、及び／又は測定放射線強度分布、及び／又は測定放射線の基板に対する照明角度（例えば入射角や方位角など）、及び／又は回折測定放射線の基板上でのパターンに対する相対向き、及び／又はターゲットの測定された点若しくはインスタンスの数、及び／又は基板上で測定されたターゲットのインスタンスの位置を含むことがある。測定自体の１つ又は複数のパラメータは、測定に使用されるメトロロジ装置の１つ又は複数のパラメータを含むことがあり、これは、検出器感度や開口数などを含むことができる。
【０１１８】
[00144]  一実施形態では、メトロロジレシピが、測定されたパターンの１つ又は複数のパラメータを含む場合、測定されたパターンの１つ又は複数のパラメータは、１つ又は複数の幾何学的特徴（パターンの少なくとも一部の形状、及び／又はパターンの少なくとも一部の向き、及び／又はパターンの少なくとも一部のピッチ（例えば、下部周期構造の層よりも上の層における上部周期構造のピッチ、及び／又は下部周期構造のピッチを含む、周期構造のピッチ）、及び／又はパターンの少なくとも一部のサイズ（例えばＣＤ）（例えば、上部周期構造及び／又は下部周期構造のフィーチャのＣＤを含む、周期構造のフィーチャのＣＤ）、及び／又はパターンのフィーチャのセグメント化（例えば、下位構造への周期構造のフィーチャの分割）、及び／又は周期構造若しくは周期構造のフィーチャの長さ）、並びに／又はパターンの少なくとも一部の材料特性（例えば、屈折率、吸光係数、材料タイプなど）、並びに／又はパターンの識別（例えば、あるパターンと別のパターンとの区別）などを含むことがある。
【０１１９】
[00145]  メトロロジレシピは、（ｒ１，ｒ２，ｒ３，…，ｒｎ；ｔ１，ｔ２，ｔ３，…，ｔｍ）のような形で表現することができる。ここで、ｒ１は、測定の１つ又は複数のパラメータであり、ｔｊは、測定される１つ又は複数のパターンの１つ又は複数のパラメータである。理解されるように、ｎ及びｍは１でよい。さらに、メトロロジレシピは、測定の１つ又は複数のパラメータと、測定される１つ又は複数のパターンの１つ又は複数のパラメータとの両方を有する必要はない。測定の１つ又は複数のパラメータのみを有することも、測定される１つ又は複数のパターンの１つ又は複数のパラメータのみを有することもできる。
【０１２０】
[00146]  ２つのメトロロジレシピＡ及びＢを使用してターゲットを測定することができ、メトロロジレシピＡ及びＢは、例えば、ターゲットが測定される段階が異なる（例えば、Ａは、ターゲットが潜像構造を備えるときターゲットを測定し、Ｂは、ターゲットが潜像構造を備えないときにターゲットを測定する）、及び／又はそれらの測定のパラメータが異なる。メトロロジレシピＡとＢは、少なくとも、測定されるターゲットが異なることがある（例えば、Ａは第１のターゲットを測定し、Ｂは第２の異なるターゲットを測定する）。メトロロジレシピＡとＢは、それらの測定及びターゲット測定のパラメータが異なることがある。基板測定レシピＡとＢは、同じ測定技法に基づいていなくてもよい。例えば、レシピＡは、回折に基づく測定に基づいてよく、レシピＢは、走査電子顕微鏡（ＳＥＭ）又は原子間力顕微鏡（ＡＦＭ）測定に基づいてよい。
【０１２１】
[00147]  したがって、本明細書に記載の多波長技法の別の可能な用途は、例えば、大量の又は製造測定前に実行されるメトロロジレシピ選択に対するものである。したがって、技法は、メトロロジレシピ選択に対する参照として正確なオーバーレイを提供するために使用することができる。すなわち、例えば、より正確なプロセスパラメータ測定量を得るため及び／又はプロセス変動性に対してロバストな所望のプロセスパラメータの測定値を生成するために、メトロロジレシピ（ターゲット測定パラメータ組合せ）の望ましい最適な選択に至ることが望ましい。
【０１２２】
[00148]  それに従って、一実施形態では、所望のプロセスパラメータ（例えば、オーバーレイ）の正確な測定量を生成する及び／又はプロセス変動性に対してロバストな所望のプロセスパラメータの測定値を生成する１つ又は複数のメトロロジレシピを決定するため、上述した多波長技法の結果を使用して、そのような１つ又は複数の正確な及び／又はロバストなメトロロジレシピを識別することができる。
【０１２３】
[00149]  図１５を参照すると、メトロロジレシピ選択の方法の一実施形態が概略的に提示されている。本質的には、方法は、測定放射線によって照明されたメトロロジターゲットからパターニングプロセスパラメータ（オーバーレイなど）の第１の値を決定するために、第１のパターニングプロセスパラメータ決定技法（上述した多波長技法など）を使用することと、メトロロジターゲットに対するパターニングプロセスパラメータ（オーバーレイなど）の複数の第２の値に達するように、第１のパターニングプロセスパラメータ決定技法とは異なる第２のパターニングプロセスパラメータ決定技法（方程式（１）〜（４）に関して上述した技法又は例えばメトロロジ装置によって提供される別の技法など）を使用することであって、第２の値の各々が、測定放射線の異なる波長で決定される、使用することと、第１の値及び第２の値に基づいて、メトロロジターゲットの測定のためのメトロロジレシピに対する測定放射線波長を識別することとを伴う。ここでは、第１のパターニングプロセスパラメータ決定技法として上述した多波長技法を使用したこの方法のより詳細な例を図１５に関連して説明する。
【０１２４】
[00150]  １４５０では、任意選択で、測定放射線のより大きな波長セットから測定放射線の複数の波長を選択するために、事前選択が実行される。そのような事前選択の例は以下で説明する。
【０１２５】
[00151]  １４６０では、オーバーレイの第１の値に達するように、上述した多波長連立方程式（例えば、第１のオーバーレイ決定技法）と組み合わせて、複数の波長（例えば、１４５０から事前に選択された波長又は別の方法で提供された複数の波長）が使用される。理解されるように、波長の数は、連立方程式がセットアップされた数と一致すべきである。より多く存在する場合は、連立方程式で必要な数と一致する複数の波長からの最良の波長の選択を選択することができる。一実施形態では、事前選択技法は、最良の波長の選択を可能にするために、各波長に対する測定規準を提供した。或いは、連立方程式で使用されるいくつかの波長の様々な副組合せを選択することができ、オーバーレイの複数の第１の値に達するようにそれらの波長の副組合せに対してオーバーレイの第１の値は算出した（次いで、その値は、別々に使用すること又は統計的に組み合わせること（例えば、相加平均してオーバーレイの第１の値の相加平均を得ること）ができる）。連立方程式で使用される放射線値は、シミュレーションされた値又は物理的に測定された値であり得る。
【０１２６】
[00152]  １４７０では、例えば、メトロロジ装置がある特定の波長を提供する状況の場合、複数の波長の各々におけるメトロロジターゲットに対するオーバーレイの第２の値を導出するために、方程式（１）〜（４）に関して上述したオーバーレイ決定技法又は例えばメトロロジ装置によって提供される別のオーバーレイ決定技法（例えば、第２のオーバーレイ決定技法）が使用される。一実施形態では、それらの波長は、メトロロジレシピが選択されているメトロロジ装置によって提供される波長のすべて又はサブセットである。一実施形態では、それらの波長は、１４６０で使用される波長のすべて又はサブセットである。第２のオーバーレイ決定技法によって使用される放射線値は、シミュレーションされた値又は物理的に測定された値であり得る。
【０１２７】
[00153]  次いで、第２の値を用いて、オーバーレイの第２の値がオーバーレイの第１の値に最も近い波長が選ばれる。したがって、一実施形態では、測定レシピ波長を識別することは、第２のオーバーレイ決定技法（例えば、方程式（１）〜（４）に関して上述したオーバーレイ決定技法又は例えばメトロロジ装置によって提供される別のオーバーレイ決定技法）を使用して決定された第２の値のうちのどれが、第１のオーバーレイ決定技法（上述した多波長技法など）を使用して決定された第１の値に最も近いかを識別することを含み、メトロロジレシピに対して識別された測定波長は、最も近い第２の値と関連付けられた測定放射線波長である。一実施形態では、複数の波長を識別することができる。
【０１２８】
[00154]  １４８０では、例えば、メトロロジ装置が広範囲にわたる波長の波長を柔軟に提供する（例えば、連続的な範囲の波長から特定の波長を調節する）ことができる状況の場合、複数の波長の各々におけるメトロロジターゲットに対するオーバーレイの第２の値を導出するために、方程式（１）〜（４）に関して上述したオーバーレイ決定技法又は例えばメトロロジ装置によって提供される別のオーバーレイ決定技法（例えば、第２のオーバーレイ決定技法）が使用される。一実施形態では、それらの波長は、メトロロジレシピが選択されているメトロロジ装置によって提供される広範囲の波長にわたる波長のサンプリング（例えば、均一なサンプリング）である。一実施形態では、それらの波長は、１４６０で使用される波長のすべて又はサブセットである。第２のオーバーレイ決定技法によって使用される放射線値は、シミュレーションされた値又は物理的に測定された値であり得る。
【０１２９】
[00155]  次いで、第２の値を用いて、波長の関数として第２の値が当てはめられる。次いで、オーバーレイの第１の値に等しいか又は最も近い第２の値を有するこのフィットから最適な波長が外挿又は内挿される。したがって、一実施形態では、測定量レシピ波長を識別することは、第２のオーバーレイ決定技法（例えば、方程式（１）〜（４）に関して上述したオーバーレイ決定技法又は例えばメトロロジ装置によって提供される別のオーバーレイ決定技法）を使用して決定された第２の値を測定放射線波長の関数として当てはめることと、第１のオーバーレイ決定技法（上述した多波長技法など）を使用して決定された第１の値に最も近いか又は等しいオーバーレイの値を有する、フィッティングから、識別された測定波長を外挿又は内挿することとを含む。一実施形態では、複数の波長を識別することができる。
【０１３０】
[00156]  １４９０では、メトロロジターゲットのメトロロジプロセスで使用するために、１つ又は複数のメトロロジレシピが出力され、１つ又は複数のメトロロジレシピの各々は、１４６０、１４７０又は１４８０から識別された波長を有する。一実施形態では、１つ又は複数のメトロロジレシピは、１４７０又は１４８０から識別された波長を有し、第２のオーバーレイ決定技法（例えば、方程式（１）〜（４）に関して上述したオーバーレイ決定技法又は例えばメトロロジ装置によって提供される別のオーバーレイ決定技法）を使用してオーバーレイを決定するメトロロジプロセスで使用するためのものである。一実施形態では、複数のメトロロジレシピが提供され、複数のメトロロジレシピは、１４６０、１４７０又は１４８０から識別された波長を有し、第１のオーバーレイ決定技法（例えば、上述した多波長技法）を使用してオーバーレイを決定するメトロロジプロセスで使用するためのものである。
【０１３１】
[00157]  図１６は、性能を監視するために並びにメトロロジ、設計及び／又は製造プロセスの制御の基礎としてメトロロジレシピが使用されるプロセスを示す流れ図を示す。ステップＤ１では、適用可能なメトロロジレシピに従って本明細書で述べるような製品フィーチャ及び１つ又は複数のメトロロジターゲットを生成するために、基板が処理される。ステップＤ２では、パターニングプロセスパラメータ（例えば、オーバーレイ）値が、適用可能であれば、メトロロジレシピの１つ又は複数の測定パラメータを使用して測定され、図６又は１０の方法を使用して算出される。任意選択のステップＤ３では、測定されたパターニングプロセスパラメータ（例えば、オーバーレイ）値を使用して（利用可能であり得る他の情報と共に）、メトロロジレシピを更新する（例えば、本明細書に記載の方法を使用して波長を変更する）ことができる。更新されたメトロロジレシピは、パターニングプロセスパラメータの再測定のため及び／又は後続の処理基板に対するパターニングプロセスパラメータの測定のために使用される。このようにして、算出されたパターニングプロセスパラメータの精度が向上する。更新プロセスは、必要に応じて自動化することができる。ステップＤ４では、パターニングプロセスパラメータ値を使用して、リワークのため及び／又はさらなる基板の処理のためのデバイス製造プロセスにおけるリソグラフィパターニングステップ及び／又は他のプロセスステップを制御するレシピを更新する。この場合もやはり、必要に応じて、この更新を自動化することができる。
【０１３２】
[00158]  上記のように、事前選択を使用して、特定の波長に達することができる。以下では、そのような事前選択に対して様々なステップが順に示されているが、必ずしもその順序で実施される必要はない。さらに、すべてのステップが実施される必要はない。例えば、ステップの１つ又は複数が実施されてもよい。したがって、ステップから選択される任意の組合せを実施することができる。
【０１３３】
[00159]  事前選択は、複数の異なる波長に対して、メトロロジターゲットのオーバーレイデータの分析をすることができる。データは実験から得ることができ、又はターゲットを使用する製品測定から得ることができる。例えば、考慮下のターゲットの複数のインスタンスを、そのターゲットが使用されるパターニングプロセスを使用して基板にわたって印刷することができ、次いで、各インスタンスを、適用可能なメトロロジ装置を用いて複数の異なる設定（例えば異なる波長）で測定することができる。さらに又は代替的に、ターゲットを測定するためにメトロロジレシピを使用することにより得られるオーバーレイ測定をシミュレートすることができる。シミュレーションでは、測定の１つ又は複数のパラメータは、メトロロジレシピのパラメータｒｉ及び／又はｔｊを使用して決定される（例えば、それらによって提供される、又はそれらから決定される）。例えば、メトロロジレシピに対応する放射線とターゲットとの相互作用は、例えばマクスウェルソルバ及び厳密結合波解析（ＲＣＷＡ）を使用することによって、又は他の数学的モデリングによって、メトロロジレシピのそれらのパラメータから決定することができる。したがって、ターゲット及び関連のメトロロジレシピを使用して予想される測定を、上記の相互作用から決定することができる。したがって、特定の状況では、例えば強い信号を生成するターゲットを決定するために、測定プロセスのシミュレータを使用してデータを得ることができる。シミュレータは、メトロロジ装置を使用して、検査装置の測定技法（例えば回折ベースのオーバーレイ測定）に従って、例えば図７の装置などの検出器で測定される強度を算出することによって、特定の特徴の特定のターゲット（例えば、ピッチ、フィーチャ幅、材料の種類などに関して指定されたターゲット）がどのように測定されるかを数学的に導き出すことができる。ロバスト性データを得るために、シミュレータは、ある範囲（例えば、最大１０％の変化、最大５％の変化、最大２％の変化、最大１％の変化、又は最大０．５％の変化）内で摂動を導入して、プロセス変動を模倣することができる（これは、基板にわたって拡張することができる）。
【０１３４】
[00160]  したがって、実験法又はシミュレーションは、例えば上述した式を使用して、ＯＶやＫなどの特定のパラメータ又は指標に関して値を生成することができる。
【０１３５】
[00161]  １つのそのような指標は、スタック感度（ＳＳ）である（信号コントラストとも考えられる）。スタック感度は、ターゲット（例えば格子）層間の回折により、オーバーレイが変化するにつれて信号の強度がどれだけ変化するかの尺度として理解することができる。すなわち、オーバーレイの文脈では、スタック感度は、オーバーレイターゲットの上下の周期構造間のコントラストを検出し、したがって上下の周期構造間の回折効率のバランスを表す。したがって、スタック感度は、測定量の感度の例示的な尺度である。一実施形態では、スタック感度は、強度非対称性と相加平均強度との比である。一実施形態では、スタック感度は、ＳＳ＝ＫＬ／ＩＭとして定式化することができ、ここで、Ｌはユーザ定義定数（例えば、一実施形態では、値Ｌは２０ｎｍ及び／又はバイアスｄの値）であり、ＩＭは、ターゲットによって回折された測定ビームの平均強度である。一実施形態では、メトロロジレシピに関するスタック感度を最大にすべきである。しかし、最大スタック感度でのメトロロジレシピの使用は最良でないことがあることが明らかになっている。例えば、スタック感度が最大である測定ビーム波長は、低いオーバーレイ感度及び低いプロセスロバスト性に対応することがある。
【０１３６】
[00162]  メトロロジレシピデータの例を図１７及び図１８に示す。データは、１つ又は複数のメトロロジレシピパラメータ、特に測定ビームの波長など測定自体の１つ又は複数のパラメータの関数として測定データの依存性を表すことができる。一実施形態では、データは、測定放射線波長の関数として測定データの振動依存性（例えば（像面での）フィールドデータとして又は（瞳面での）瞳孔データとして得られる強度）を表すことができる。図１７は、単一の偏光（この場合は直線Ｘ偏光）に関する様々な波長での測定におけるターゲットに関するデータの例示的なグラフである。データに曲線が当てはめられており、したがって、この表現はスイング曲線と呼ぶことができる。理解されるように、データのみを処理することができるので、グラフを生成する必要はない。図１８は、別の単一の偏光（この場合は直線Ｙ偏光）に関する様々な波長での測定におけるターゲットに関するデータのグラフである。図１７と図１８どちらにおいても、スタック感度及びオーバーレイ感度が、様々な測定ビーム波長についてグラフ化されている。さらに、ここでの偏光は直線Ｘ及びＹ偏光であるが、異なる偏光又は追加の偏光（左楕円偏光放射線や右楕円偏光放射線など）でもよい。
【０１３７】
[00163]  このデータを使用して、１つ又は複数の特定のメトロロジレシピ（例えば波長）が検討から除外されて、さらなる可能な検討のための１セットのメトロロジレシピが選択される。この場合、メトロロジレシピは、同じターゲットを共有するが、測定放射線波長に関しては異なる。
【０１３８】
[00164]  ここで、その特定のターゲットに関するピッチ／波長限度を超えているという理由で、特定の波長を除去することができる。すなわち、ターゲットフィーチャのピッチ及び測定放射線波長は、この組合せでの測定が有効でなくなるようなものである。これら１つ又は複数のメトロロジレシピは、領域１５００において除外される。
【０１３９】
[00165]  この選択の可能な態様は、閾値を満たす又は超える（すなわち、スタック感度値の特定の範囲内にある）スタック感度（例えば、基板にわたるターゲットの複数のインスタンスから得られる平均スタック感度（次いでこれを複数の基板に関して決定することができる））を有する１つ又は複数のメトロロジレシピを選択することである。一実施形態では、スタック感度を最大にすべきである（しかし、上で論じたように、他の指標又はパラメータを犠牲にせずに行う。プロセス変動に対するロバスト性に影響を及ぼし得るスタック感度に対する上限があり得る）。例えば、さらなる検討のために、０．０５以上のスタック感度の絶対値を有する１つ又は複数のメトロロジレシピを選択することができる。当然、０．０５を用いる必要はない。この場合、数がより大きい場合に、より多くの測定レシピが除外される。したがって、この場合のスタック感度の数は比較的低い。したがって、選択のこの態様によって除外された１つ又は複数のメトロロジレシピは、領域１５１０として記されている（この領域は、この状況での検査装置によって利用可能な波長にほぼ対応する。連続波長範囲が利用可能であり、検査装置がその範囲内の任意の波長に正確に且つ安定して同調することができる場合、図１７及び図１８での曲線に適用される分析はより正確である）。
【０１４０】
[00166]  この選択の可能な態様は、ターゲットシグマの考慮である。ターゲットシグマ（ＴＳ）は、ターゲットにわたる複数の測定された画素に関する測定されたパラメータ（例えばオーバーレイ）の統計的ばらつきとして理解することができる。理論上は、検出器によって、特定のターゲットに関して同じパラメータ値を読み取るように各画素が測定されるはずである。しかし、実際には、画素間にばらつきがあり得る。一実施形態では、ターゲットシグマは、標準偏差の形態又は分散の形態である。したがって、ターゲットシグマの低い値は、ターゲットにわたる測定されるパラメータの望ましい小さいばらつきを意味する。ターゲットシグマ（ＴＳ）の高い値は、ターゲットの印刷の問題（例えば、歪んだ格子線）、汚染の問題（例えば、ターゲット上の著しい粒子）、測定ビームスポットの位置決めの問題、及び／又はターゲットにわたる測定ビーム強度ばらつきの問題を通知することができる。
【０１４１】
[00167]  したがって、この選択のさらなる態様は、閾値を満たす又は超える（すなわち、ターゲットシグマ値の特定の範囲内にある）ターゲットシグマ（例えば、基板にわたるターゲットの複数のインスタンスから得られる平均ターゲットシグマ（次いでこれを複数の基板に関して決定することができる））を有する１つ又は複数のメトロロジレシピを選択することでよい。一実施形態では、ターゲットシグマを最小にすべきである。例えば、さらなる検討のために、１０ｎｍ以下のターゲットシグマを有する１つ又は複数のメトロロジレシピを選択することができる。当然、１０ｎｍを用いる必要はない。この場合、数がより小さい場合に、より多くのメトロロジレシピが除外される。したがって、この場合のターゲットシグマの数は比較的高い。したがって、選択のこの態様によって除外される１つ又は複数のメトロロジレシピは、領域１５１５として記されている（この領域は、この状況において検査装置によって利用可能な波長にほぼ対応する）。
【０１４２】
[00168]  例えば、オーバーレイの測定誤差を低減するために、１セットの測定条件（例えば、ターゲット選択、測定ビーム波長、測定ビーム偏光など）を大きなオーバーレイ感度Ｋで選択すべきである。この選択の可能な態様は、閾値を満たす又は超える（すなわち、オーバーレイ感度値の特定の範囲内にある）オーバーレイ感度（例えば、基板にわたるターゲットの複数のインスタンスから得られる平均オーバーレイ感度（次いでこれを複数の基板に関して決定することができる））を有する１つ又は複数のメトロロジレシピを選択することである。一実施形態では、メトロロジレシピに関して、オーバーレイ感度を最大にすべきである。例えば、さらなる検討のために、最高オーバーレイ感度の絶対値の範囲にあるオーバーレイ感度の絶対値を有する１つ又は複数のメトロロジレシピを選択することができる。例えば、この範囲は、最高オーバーレイ感度値の３５％以内、３０％以内、２５％以内、２０％以内、１５％以内、又は１０％以内でよい。例えば、オーバーレイ感度値の極小値又は極大値からある範囲内の１つ又は複数のメトロロジレシピを選択することができる。例えば、この範囲は、極小値又は極大値の３５％以内、３０％以内、２５％以内、２０％以内、１５％以内、又は１０％以内でよい。当然、異なる範囲を使用することもできる。範囲が広いほど、より多くのメトロロジレシピが保持される。したがって、選択のこの態様によって除外される１つ又は複数のメトロロジレシピは、領域１５２０として記されている（この領域は、この状況において検査装置によって利用可能な波長にほぼ対応する）。
【０１４３】
[00169]  この選択の可能な側面は、閾値に対してスタック差パラメータを考慮することである。一実施形態では、スタック差パラメータは、格子不均衡（ＧＩ）を含む。したがって、例えば、格子不均衡（ＧＩ）（例えば、基板にわたるターゲットの複数のインスタンスから得られる（次いでこれを複数の基板に関して決定することができる）、平均格子不均衡又は格子不均衡のばらつき（例えば、分散、標準偏差など））を閾値に対して評価することによって、１つ又は複数のメトロロジレシピのサブセットを選択することができる。例えば、さらなる検討のために、０．０５又は５％以下の格子不均衡を有する１つ又は複数のメトロロジレシピを選択することができる。当然、０．０５又は５％を用いる必要はない。一実施形態では、スタック差パラメータが最小にされる。
【０１４４】
[00170]  この選択の可能な態様は、自己参照指標（基板にわたるターゲットの複数のインスタンスから得られる（次いでこれを複数の基板に関して決定することができる））を閾値に対して評価することである。一実施形態では、自己参照指標は、全体を参照により本明細書に援用する国際公開第２０１５／０１８６２５号に記載されているＡ＋対Ａ−の分析を使用して得られる自己参照性能パラメータ（例えばオーバーレイ）であるか、又はそれを含む。
【０１４５】
[00171]  この文脈におけるＡ＋対Ａ−の分析は、正のバイアス（Ａ＋）を有する周期構造及び負のバイアス（Ａ−）を有する周期構造を備えるターゲットの複数のインスタンスに関してメトロロジレシピを評価することを意味する。したがって、性能パラメータとしてのオーバーレイに関して、各メトロロジレシピに関して、及びターゲットの各インスタンスに関してＡ＋及びＡ−が決定され、決定されたＡ＋の値が、決定されたＡ−の値に対して評価されて、そのようなデータを通るフィッティングを生成し、そのフィッティングに関連する値が、ターゲットのインスタンスに関する実際のオーバーレイのより正確な値に対応する。これが、ターゲットの各インスタンスに関して繰り返されて、自己参照性能パラメータの複数の値を生成する。一実施形態では、それら複数の値を平均して、基板にわたる実際のオーバーレイの相加平均（例えば、平均）のより正確な値を生成する（ここで、ターゲットの各インスタンスが同じオーバーレイを有するものと仮定する）。
【０１４６】
[00172]  図１９は、存在する唯一の非対称性がバイアス及びオーバーレイによる非対称性であるように、フィーチャ非対称性を有さないオーバーレイ格子に関するＡ＋対Ａ−の例示的なプロットであり、フィッティングを示す。この場合、Ａ＋とＡ−の関係は、原点を通る直線上にある（フィーチャ非対称性は仮定されていないため）。全てのメトロロジレシピに関する対応するＡ＋対Ａ−データ点がこの線上にある。この線の傾き（フィッティング）は、実際のオーバーレイのより正確な値に関連する。図１９は、ＯＶ＝０と表された点線（ゼロオーバーレイを示し、−１の傾きを有する線）と、ＯＶ∞と表された点線（＋１の傾きを有し、無限大に近づくオーバーレイを示す線）と、ＯＶ＜０と表された実線（−１未満の傾きを有し、０未満のオーバーレイを示す線）と、ＯＶ＞０と表された実線（−１よりも大きい傾きを有し、ゼロよりも大きいオーバーレイを示す線）とを示す。さらに、＋ｄに等しいオーバーレイ（ここで、ｄは格子バイアス）が、ｙ軸に沿ってプロットされた線をもたらし、−ｄに等しいオーバーレイが、ｘ軸に沿ってプロットされた線をもたらすことが分かる。
【０１４７】
[00173]  したがって、Ａ＋対Ａ−の回帰は、データセットを通るフィッティング線の傾きを決定することによって、フィーチャ非対称性に起因する寄与がないかのようなオーバーレイのより正確な値をもたらすことができる。この線は、必ずしも、原点を通って当てはめられるわけではない。任意選択で、フィーチャ非対称性は、原点からのフィッティング線のオフセット（例えば切片項）によって決定することができる。
【０１４８】
[00174]  さらに、オーバーレイの実際の測定値は、ターゲットの各インスタンスに関して、及び各メトロロジレシピに関して（ターゲットの各インスタンスが同じオーバーレイを有するものと仮定した場合）決定することができる。これらの値を統計的に処理して、特定のメトロロジレシピに関するオーバーレイの相加平均値及び統計的ばらつき（例えば標準偏差）を生成することができる。
【０１４９】
[00175]  次いで、自己参照指標は、特定のメトロロジレシピに対する、オーバーレイの決定されたより正確な値とオーバーレイの測定された値との比較であり得る。一実施形態では、自己参照指標は、実際のオーバーレイの決定された相加平均のより正確な値と、オーバーレイの相加平均測定値と標準偏差の３倍との和との差であり、これを閾値に対して評価することができる（例えば、この場合の自己参照指標が３ｎｍ以下である場合にメトロロジレシピが選択される。ただし、３ｎｍとは異なる値を用いることもできる）。したがって、この自己参照指標は、実際上、基板にわたる残留フィンガープリントである。一実施形態では、自己参照指標は最小にすべきである。
【０１５０】
[00176]  したがって、実際上、この技法は、基板にわたっていくつかの異なるメトロロジレシピを使用して検出された周期構造（例えば、バイアスオーバーレイ格子）の非対称性を当てはめて、プロセスパラメータ（例えば、オーバーレイ）のより正確な値の自己参照フィンガープリントを生成することを伴う。次いで、自己参照のより正確なプロセスパラメータ値（例えば、オーバーレイ）が、１つ又は複数のメトロロジレシピのプロセスパラメータ（例えば、オーバーレイ）の測定値と比較され、どの１つ又は複数のメトロロジレシピが自己参照フィンガープリントに近い結果を生成するかを識別し、それらの１つ又は複数のメトロロジレシピを使用して測定の精度を保証する助けとなる。
【０１５１】
[00177]  その結果、前述の１つ又は複数の評価の後には、１つ又は複数のメトロロジレシピ（例えば、測定波長）が残るはずである（当然、メトロロジレシピが残らない場合には、１つ又は複数の他のメトロロジレシピパラメータ（例えば、ターゲット自体の１つ又は複数のパラメータ）を修正する必要があり得る）。この時点で、事前選択のために１つ又は複数の選択されたメトロロジレシピを出力し、ステップ１４６０において使用することができる。
【０１５２】
[00178]  したがって、一実施形態では、例えば、上述した多波長技法を使用して、オーバーレイを正確に算出するための方法が提供され、その結果、その正確なオーバーレイを使用して、そのメトロロジレシピを使用して測定されたオーバーレイがより正確であるか又は最も正確であるように、最適なメトロロジレシピの選択が導かれる。したがって、レシピ選択アルゴリズムが近似又は発見的ステップに基づいて正確なオーバーレイに対する「最適な」メトロロジレシピに達するのではなく、本明細書に記載の方法は、上述した多波長技法をレシピ選択に適用し、したがって、より解析に基づく形式を使用したメトロロジレシピ選択を提供する。
【０１５３】
[00179]  さらなる留意点として、非最適波長を用いて作業するという制約に拘束されるとしても、ほとんどの場合、スタック感度が低過ぎない（すなわち、入力における雑音が多過ぎない）限り、上述した多波長技法は、依然として、正確なオーバーレイを決定することができる（メトロロジレシピ選択のため又は大量の若しくは製造測定のためになど、任意の用途のために）。非最適波長を用いた作業に対するペナルティは、入力における雑音が多過ぎる（例えば、低いスタック感度）状況、及び／又は、波長が互いに離れ過ぎており、メトロロジターゲットの材料が波長に大きく依存する状況における精度の低いオーバーレイであり得る。しかし、大抵の場合、これらの状況は、適切に設計されたメトロロジターゲットを有する適切に設計されたメトロロジプロセスでは起こりそうにない。
【０１５４】
[00180]  一実施形態では、メトロロジターゲットからパターニングプロセスパラメータを決定する方法であって、メトロロジターゲットから回折放射線の複数の値を得ることであって、複数の値の各値が、ターゲットに対する照明放射線の複数の波長のうちの異なる波長に対応する、得ることと、ターゲットに対するパターニングプロセスパラメータの同じ値を決定するために値の組合せを使用することとを含む、方法が提供される。
【０１５５】
[00181]  一実施形態では、回折放射線の値は、複数の波長のうちの少なくとも４つの波長の各々に対して得られる。一実施形態では、ターゲットは、少なくとも２つのサブターゲットを含み、各サブターゲットは、異なるバイアスを有し、各値は、特定のサブターゲットからの回折放射線に対応する。一実施形態では、値は、回折放射線の特定の回折次数の正値の放射線と、回折放射線の特定の回折次数の負値の放射線とに別々に対応する。一実施形態では、パターニングプロセスパラメータの同じ値を決定するために値の組合せを使用することは、連立方程式の少なくとも１つの方程式の変数として複数の波長の各々を含む連立方程式を使用することを含む。一実施形態では、連立方程式は、少なくとも１６個の方程式を含む。一実施形態では、連立方程式は、最大で１６個の未知数を含む。一実施形態では、ターゲットは、上部周期構造及び下部周期構造を含み、連立方程式の各方程式は、ターゲットの下部周期構造からの放射線の振幅を表す変数及びターゲットからの放射線の位相を表す変数の関数である１つ又は複数の項を含み、回折放射線の特定の回折次数の正値に対する放射線の少なくとも振幅変数は、回折放射線の特定の回折次数の負値に対する放射線の振幅変数とは異なり、回折放射線の特定の回折次数の正値に対する放射線の少なくとも位相変数は、回折放射線の特定の回折次数の負値に対する放射線の位相変数とは異なる。一実施形態では、ターゲットは、周期構造の正のバイアスを有するターゲットのサブターゲットと、周期構造の負のバイアスを有するターゲットのサブターゲットとを含み、連立方程式の各方程式は、ターゲットからの放射線の振幅を表す変数及びターゲットからの放射線の位相を表す変数の関数である１つ又は複数の項を含み、正のバイアスを有するサブターゲットに対する放射線の少なくとも振幅変数は、負のバイアスを有するサブターゲットに対する放射線の振幅変数とは異なり、正のバイアスを有するサブターゲットに対する放射線の少なくとも位相変数は、負のバイアスを有するサブターゲットに対する放射線の位相変数とは異なる。一実施形態では、連立方程式の各方程式は、センサ非対称性誤差を表す変数の関数である１つ又は複数の項を含む。一実施形態では、回折放射線の特定の回折次数の正値に対する放射線の少なくともセンサ非対称性誤差変数は、回折放射線の特定の回折次数の負値に対する放射線のセンサ非対称性誤差変数とは異なる。一実施形態では、連立方程式を使用することは、パターニングプロセスパラメータの値に達するように非線形連立方程式を解くことを含む。一実施形態では、パターニングプロセスパラメータはオーバーレイである。一実施形態では、回折放射線の値は、パターニングプロセスを使用して処理された基板上のメトロロジターゲットの測定から得られた回折値である。一実施形態では、回折放射線の値は、メトロロジターゲットの測定のシミュレーションから得られた回折値である。
【０１５６】
[00182]  一実施形態では、測定放射線によって照明されたメトロロジターゲットからパターニングプロセスパラメータの第１の値を決定するために、第１のパターニングプロセスパラメータ決定技法を使用することと、メトロロジターゲットに対するパターニングプロセスパラメータの複数の第２の値に達するように、第１のパターニングプロセスパラメータ決定技法とは異なる第２のパターニングプロセスパラメータ決定技法を使用することであって、第２の値の各々が、測定放射線の異なる波長で決定される、使用することと、第１の値及び第２の値に基づいて、メトロロジターゲットの測定のためのメトロロジレシピに対する測定放射線波長を識別することとを含む方法が提供される。
【０１５７】
[00183]  一実施形態では、識別することは、第２の値のうちのどれが第１の値に最も近いかを識別することを含み、識別された測定波長は、最も近い第２の値と関連付けられた測定放射線波長である。一実施形態では、識別することは、第２の値を測定放射線波長の関数として当てはめることと、第１の値に最も近いか又は等しいパターニングプロセスパラメータの値を有する、フィッティングから、識別された測定波長を外挿又は内挿することとを含む。一実施形態では、第１のパターニングプロセスパラメータ決定技法は、メトロロジターゲットから回折放射線の複数の値を得ることであって、複数の値の各値が、ターゲットに対する測定放射線の複数の波長のうちの異なる波長に対応する、得ることと、ターゲットに対するパターニングプロセスパラメータの同じ値を決定するために値の組合せを使用することとを含む。一実施形態では、方法は、測定規準に基づいてより大きな波長セットから複数の波長の事前選択を実行することをさらに含む。一実施形態では、測定規準は、特定の閾値以下であるスタック感度を含む。一実施形態では、回折放射線の値は、複数の波長のうちの少なくとも４つの波長の各々に対して得られる。一実施形態では、ターゲットは、少なくとも２つのサブターゲットを含み、各サブターゲットは、異なるバイアスを有し、各値は、特定のサブターゲットからの回折放射線に対応する。一実施形態では、値は、回折放射線の特定の回折次数の正値の放射線と、回折放射線の特定の回折次数の負値の放射線とに別々に対応する。一実施形態では、パターニングプロセスパラメータの同じ値を決定するために値の組合せを使用することは、連立方程式の少なくとも１つの方程式の変数として複数の波長の各々を含む連立方程式を使用することを含む。一実施形態では、連立方程式は、少なくとも１６個の方程式を含む。一実施形態では、連立方程式は、最大で１６個の未知数を含む。一実施形態では、連立方程式を使用することは、パターニングプロセスパラメータの値に達するように非線形連立方程式を解くことを含む。一実施形態では、パターニングプロセスパラメータはオーバーレイである。一実施形態では、値は、パターニングプロセスを使用して処理された基板上のメトロロジターゲットの測定から得られる。一実施形態では、値は、メトロロジターゲットの測定のシミュレーションから得られる。
【０１５８】
[00184]  上述した実施形態は、フィールド面における回折ベースのオーバーレイ測定（例えば、図７Ａに示される装置の第２の測定ブランチを使用して行われる測定）に関して述べたが、原理的には、同じモデルを瞳孔に基づくオーバーレイ測定（例えば、図７Ａに示される装置の第１の測定ブランチを使用して行われる測定）に使用することができる。したがって、本明細書で述べる概念は、フィールド面及び瞳孔面における回折ベースのオーバーレイ測定にも同様に適用可能であることを理解されたい。
【０１５９】
[00185]  本明細書で述べるメトロロジターゲット及びプロセスパラメータの実施形態は、大抵は、オーバーレイを測定するために使用されるオーバーレイターゲットに関して述べたが、本明細書で述べるメトロロジターゲットの実施形態を使用して、１つ又は複数の追加又は代替のパターニングプロセスパラメータを測定することもできる。例えば、メトロロジターゲットを使用して、露光量変動の測定、露光焦点／焦点ずれの測定、端設置測定エラー、ＣＤの測定などを行うことができる。さらに、本明細書における記載は、適宜修正を伴って、アライメントマークを使用するリソグラフィ装置での基板及び／又はパターニングデバイスなどのアライメントに適用することもできる。同様に、アライメント測定のための適切なレシピを決定することができる。
【０１６０】
[00186]  したがって、対象の性能パラメータはオーバーレイであるが、パターニングプロセスの性能の他のパラメータ（例えば、ドーズ量、焦点、ＣＤなど）を、例えば、多波長方程式に適切な修正を加えて、本明細書で述べる方法を使用して決定することもできる。性能パラメータ（例えば、オーバーレイ、ＣＤ、焦点、ドーズ量など）は、パターニングプロセスの改良、ターゲットの改良のためにフィードバック（又はフィードフォワード）することができ、及び／又は本明細書で述べるモデリング、測定及び算出プロセスを改良するために使用することができる。
【０１６１】
[00187]  上述したターゲット構造は、測定目的のために特別に設計されて形成されたメトロロジターゲットであるが、他の実施形態では、基板に形成されたデバイスの機能部分であるターゲットに関して特性を測定することができる。多くのデバイスは、格子に似た規則的な周期構造を有する。本明細書で使用される「ターゲット」、「格子」、又はターゲットの「周期構造」という用語は、適用可能な構造が、実施される測定のために特別に提供されていることを必要としない。さらに、メトロロジターゲットのピッチＰは、測定ツールの光学系の解像限界に近いが、ターゲット部分Ｃにパターニングプロセスによって形成される典型的な製品フィーチャの寸法よりもはるかに大きくてよい。実際には、周期構造のフィーチャ及び／又は空間は、製品フィーチャと寸法が同様のより小さい構造を含むように形成されてもよい。
【０１６２】
[00188]  基板及びパターニングデバイスで実現されるようなターゲットの物理的構造に関連して、一実施形態は、機械可読命令及び／又は機能データの１つ又は複数のシーケンスを含むコンピュータプログラムを含むことがあり、これらの機械可読命令及び／又は機能データは、ターゲット設計を記述し、基板に関するターゲットを設計する方法を記述し、基板にターゲットを生成する方法を記述し、基板上のターゲットを測定する方法を記述し、及び／又はパターニングプロセスに関する情報を得るために測定量を分析する方法を記述する。このコンピュータプログラムは、例えば図７の装置におけるユニットＰＵ及び／又は図２の制御ユニットＬＡＣＵ内で実行することができる。そのようなコンピュータプログラムを記憶したデータ記憶媒体（例えば、半導体メモリや、磁気又は光ディスク）も提供することができる。例えば図７に示されるタイプの既存の検査装置が既に製造中及び／又は使用中である場合、実施形態は、本明細書で述べる方法の１つ又は複数をプロセッサに実施させるための更新されたコンピュータプログラム製品の提供によって実施することができる。プログラムは、光学系や基板支持体などを制御して、適切な複数のターゲットに対してパターニングプロセスのパラメータを測定する方法を実施するように任意選択で構成することができる。プログラムは、さらなる基板の測定のためにリソグラフィ及び／又はメトロロジレシピを更新することができる。プログラムは、さらなる基板のパターン形成及び処理のためにリソグラフィ装置を（直接的又は間接的に）制御するように構成することができる。
【０１６３】
[00189]  さらに、本明細書では、例えば回折次数からの強度から重なり合う周期構造の相対位置を測定する回折ベースのメトロロジ法に関して実施形態を述べてきた。しかし、本明細書における実施形態は、必要であれば適宜修正を伴って、像ベースのメトロロジにも適用することができ、これは、例えば、ターゲットの高品質像を使用して層１のターゲット１から層２のターゲット２までの相対位置を測定する。通常、これらのターゲットは、周期構造又は「ボックス」（Ｂｏｘ−ｉｎ−Ｂｏｘ（ＢｉＢ））である。
【０１６４】
[00190]  本明細書で使用される「最適化する」及び「最適化」という用語は、パターニングプロセスの装置及び／又はプロセスを調節することを表し又は意味し、これは、リソグラフィプロセス若しくは装置を調節すること、又はメトロロジプロセス若しくは装置（例えばターゲットや測定ツールなど）を調節することを含むことがあり、それにより、性能指数が、より望ましい値、例えば測定量を有し、パターン形成及び／又はデバイス製造結果及び／又はプロセスが、１つ又は複数の望ましい特徴を有し、例えば、基板上への設計レイアウトの投影がより正確になり、プロセス窓がより広くなる。したがって、「最適化する」及び「最適化」は、設計変数の値の初期セットと比較した、性能指数の改良、例えば局所最適をもたらす１つ又は複数の設計変数に関する１つ又は複数の値を識別するプロセスを表す又は意味する。「最適な」及び他の関連の用語は、それに従って解釈すべきである。一実施形態では、最適化ステップを反復して適用して、１つ又は複数の性能指数をさらに改良することができる。
【０１６５】
[00191]  本発明の一実施形態は、本明細書に開示されている方法を記述する機械可読命令の１つ又は複数のシーケンスを含むコンピュータプログラム、又はそのようなコンピュータプログラムが記憶されたデータ記憶媒体（例えば半導体メモリ、磁気又は光ディスク）の形態を取ることができる。さらに、機械可読命令は、２つ以上のコンピュータプログラムで具現化することができる。２つ以上のコンピュータプログラムは、１つ又は複数の異なるメモリ及び／又はデータ記憶媒体に記憶されてもよい。
【０１６６】
[00192]  本明細書に開示されている１つ又は複数の態様は、制御システム内に実装することができる。本明細書で述べる任意の制御システムは、それぞれ又は組み合わせて、装置の少なくとも１つの構成要素内に位置された１つ又は複数のコンピュータプロセッサによって１つ又は複数のコンピュータプログラムが読み取られるときに動作可能であり得る。制御システムは、それぞれ又は組み合わせて、信号を受信、処理、及び送信するための任意の適切な構成を有することができる。１つ又は複数のプロセッサは、制御システムの少なくとも１つと通信するように構成される。例えば、各制御システムは、上述した方法のための機械可読命令を含むコンピュータプログラムを実行するための１つ又は複数のプロセッサを含むことができる。制御システムは、そのようなコンピュータプログラムを記憶するためのデータ記憶媒体、及び／又はそのような媒体を受け取るためのハードウェアを含むことができる。したがって、制御システムは、１つ又は複数のコンピュータプログラムの機械可読命令に従って動作することができる。
【０１６７】
[00193]  光リソグラフィとの関連において、実施形態の使用について上記に特定の言及を行うことができたが、当然のことながら、本発明の実施形態は、他の用途、例えば、インプリントリソグラフィで使用することができ、状況が可能にする場合、光リソグラフィに限定されない。インプリントリソグラフィでは、パターニングデバイスのトポグラフィが、基板に形成されるパターンを画定する。パターニングデバイスのトポグラフィは、基板に供給されたレジスト層に押し付けることができ、レジストは、電磁放射、熱、圧力、又はそれらの組合せを加えることで硬化する。パターニングデバイスは、レジストが硬化した後、レジスト内にパターンを残したままレジストから引き離される。
【０１６８】
[00194]  本明細書で使用する「放射」及び「ビーム」という用語は、（例えば、３６５、３５５、２４８、１９３、１５７、又は１２６ｎｍの波長、或いはそれらの近辺の波長を有する）紫外（ＵＶ）線及び（例えば、５〜２０ｎｍの範囲の波長を有する）極端紫外（ＥＵＶ）線、さらには、イオンビーム又は電子ビームなどの粒子ビームを含むすべてのタイプの電磁放射線を包含する。
【０１６９】
[00195]  「レンズ」という用語は、状況が可能にする場合、屈折式、反射式、磁気式、電磁気式、及び静電式光学コンポーネントを含む様々なタイプの光学コンポーネントの任意の一つ、又はそれらの組合せを指すことができる。
【０１７０】
[00196]  特定の実施形態の前述の説明は、本発明の実施形態の一般的な性質を明らかにするので、他者は、当業者の技能の範囲内の知識を適用することで、過度の実験を行うことなく、本発明の一般概念から逸脱することなく、そのような特定の実施形態を容易に修正し、及び／又はそのような特定の実施形態を様々な用途に適合させることができる。したがって、そのような適合及び修正は、本明細書に提示した教示及びガイダンスに基づいて、開示した実施形態の等価物の趣旨及び範囲内であることを意図されている。当然のことながら、本明細書における専門語又は用語は、例を用いて説明するためのものであり、限定するものではなく、本明細書の用語又は専門語は、教示及びガイダンスに照らして、同業者によって解釈されるべきである。
【０１７１】
[00197]  本発明によるさらなる実施形態は、以下の番号付き条項で説明される。
１．  メトロロジターゲットからパターニングプロセスパラメータを決定する方法であって、
メトロロジターゲットから回折放射線の複数の値を得ることであって、複数の値の各値が、ターゲットに対する照明放射線の複数の照明条件のうちの異なる照明条件に対応することと、
ターゲットに対するパターニングプロセスパラメータの同じ値を決定するために値の組合せを使用することと、
を含む、方法。
２．  回折放射線の値が、複数の照明条件のうちの少なくとも４つの照明条件の各々に対して得られる、条項１に記載の方法。
３．  ターゲットが、少なくとも２つのサブターゲットを含み、各サブターゲットが、異なるバイアスを有し、各値が、特定のサブターゲットからの回折放射線に対応する、条項１又は２に記載の方法。
４．  値が、回折放射線の特定の回折次数の正値の放射線と、回折放射線の特定の回折次数の負値の放射線と、に別々に対応する、条項１〜３の何れか一項に記載の方法。
５．  パターニングプロセスパラメータの同じ値を決定するために値の組合せを使用することが、連立方程式の少なくとも１つの方程式の変数として複数の照明条件の各々を含む連立方程式を使用することを含む、条項１〜４の何れか一項に記載の方法。
６．  連立方程式が、少なくとも１６個の方程式を含む、条項５に記載の方法。
７．  連立方程式が、最大で１６個の未知数を含む、条項５又は６に記載の方法。
８．  ターゲットが、上部周期構造及び下部周期構造を含み、連立方程式の各方程式が、ターゲットの下部周期構造からの放射線の振幅を表す変数及びターゲットからの放射線の位相を表す変数の関数である１つ又は複数の項を含み、回折放射線の特定の回折次数の正値に対する放射線の少なくとも振幅変数が、回折放射線の特定の回折次数の負値に対する放射線の振幅変数とは異なり、回折放射線の特定の回折次数の正値に対する放射線の少なくとも位相変数が、回折放射線の特定の回折次数の負値に対する放射線の位相変数とは異なる、条項５〜７の何れか一項に記載の方法。
９．  ターゲットが、周期構造の正のバイアスを有するターゲットのサブターゲットと、周期構造の負のバイアスを有するターゲットのサブターゲットと、を含み、連立方程式の各方程式が、ターゲットからの放射線の振幅を表す変数及びターゲットからの放射線の位相を表す変数の関数である１つ又は複数の項を含み、正のバイアスを有するサブターゲットに対する放射線の少なくとも振幅変数が、負のバイアスを有するサブターゲットに対する放射線の振幅変数とは異なり、正のバイアスを有するサブターゲットに対する放射線の少なくとも位相変数が、負のバイアスを有するサブターゲットに対する放射線の位相変数とは異なる、条項５〜８の何れか一項に記載の方法。
１０．  連立方程式の各方程式が、センサ非対称性誤差を表す変数の関数である１つ又は複数の項を含む、条項５〜９の何れか一項に記載の方法。
１１．  回折放射線の特定の回折次数の正値に対する放射線の少なくともセンサ非対称性誤差変数が、回折放射線の特定の回折次数の負値に対する放射線のセンサ非対称性誤差変数とは異なる、条項１０に記載の方法。
１２．  連立方程式を使用することが、パターニングプロセスパラメータの値に達するように非線形連立方程式を解くことを含む、条項５〜１１の何れか一項に記載の方法。
１３．  パターニングプロセスパラメータがオーバーレイである、条項１〜１２の何れか一項に記載の方法。
１４．  回折放射線の値が、パターニングプロセスを使用して処理された基板上のメトロロジターゲットの測定から得られた回折値である、条項１〜１３の何れか一項に記載の方法。
１５．  回折放射線の値が、メトロロジターゲットの測定のシミュレーションから得られた回折値である、条項１〜１４の何れか一項に記載の方法。
１６．  照明条件が、波長及び／又は偏光を含む、条項１〜１５の何れか一項に記載の方法。
１７．  照明条件が、ターゲットに対する入射角を含む、条項１〜１５の何れか一項に記載の方法。
１８．  回折放射線の複数の値が、各々が対応する像に関連する値を含み、上記像の各々が、照明放射線の異なる非重複照明プロファイルに対応する、条項１７に記載の方法。
１９．  上記像が、導出像を含み、上記導出像の各々が、上記像の別のものに関連する取得照明プロファイルと重複する取得照明プロファイルの部分に関連する情報を除去するために、２つ以上の取得像の線形結合から得られ、上記取得照明プロファイルが、像の取得に使用された実際の照明プロファイルを含む、条項１８に記載の方法。
２０．  測定放射線によって照明されたメトロロジターゲットからパターニングプロセスパラメータの第１の値を決定するために、第１のパターニングプロセスパラメータ決定技法を使用することと、
メトロロジターゲットに対するパターニングプロセスパラメータの複数の第２の値に達するように、第１のパターニングプロセスパラメータ決定技法とは異なる第２のパターニングプロセスパラメータ決定技法を使用することであって、第２の値の各々が、測定放射線の異なる照明条件で決定されることと、
第１の値及び第２の値に基づいて、メトロロジターゲットの測定のためのメトロロジレシピに対する測定放射線の照明条件を識別することと、
を含む、方法。
２１．  識別することが、第２の値のうちのどれが第１の値に最も近いかを識別することを含み、識別された測定照明条件が、最も近い第２の値と関連付けられた測定放射線の照明条件である、条項２０に記載の方法。
２２．  識別することが、第２の値を測定放射線の照明条件の関数として当てはめることと、第１の値に最も近いか又は等しいパターニングプロセスパラメータの値を有する、フィッティングから、識別された測定照明条件を外挿又は内挿することと、を含む、条項２０に記載の方法。
２３．  第１のパターニングプロセスパラメータ決定技法が、
メトロロジターゲットから回折放射線の複数の値を得ることであって、複数の値の各値が、ターゲットに対する測定放射線の複数の照明条件のうちの異なる照明条件に対応することと、
ターゲットに対するパターニングプロセスパラメータの同じ値を決定するために値の組合せを使用することと、
を含む、条項２０〜２２の何れか一項に記載の方法。
２４．  測定規準に基づいてより大きな照明条件セットから複数の照明条件の事前選択を実行することをさらに含む、条項２３に記載の方法。
２５．  測定規準が、特定の閾値以下であるスタック感度を含む、条項２４に記載の方法。
２６．  回折放射線の値が、複数の照明条件のうちの少なくとも４つの照明条件の各々に対して得られる、条項２３〜２５の何れか一項に記載の方法。
２７．  ターゲットが、少なくとも２つのサブターゲットを含み、各サブターゲットが、異なるバイアスを有し、各値が、特定のサブターゲットからの回折放射線に対応する、条項２３〜２６の何れか一項に記載の方法。
２８．  値が、回折放射線の特定の回折次数の正値の放射線と、回折放射線の特定の回折次数の負値の放射線とに別々に対応する、条項２３〜２７の何れか一項に記載の方法。
２９．  パターニングプロセスパラメータの同じ値を決定するために値の組合せを使用することが、連立方程式の少なくとも１つの方程式の変数として複数の照明条件の各々を含む連立方程式を使用することを含む、条項２３〜２８の何れか一項に記載の方法。
３０．  連立方程式が、少なくとも２０個の方程式を含む、条項２９に記載の方法。
３１．  連立方程式が、最大で２０個の未知数を含む、条項２９又は３０に記載の方法。
３２．  連立方程式を使用することが、パターニングプロセスパラメータの値に達するように非線形連立方程式を解くことを含む、条項２９〜３１の何れか一項に記載の方法。
３３．  パターニングプロセスパラメータがオーバーレイである、条項２０〜３２の何れか一項に記載の方法。
３４．  値が、パターニングプロセスを使用して処理された基板上のメトロロジターゲットの測定から得られる、条項２０〜３３の何れか一項に記載の方法。
３５．  値が、メトロロジターゲットの測定のシミュレーションから得られる、条項２０〜３４の何れか一項に記載の方法。
３６．  照明条件が、波長及び／又は偏光を含む、条項１〜３５の何れか一項に記載の方法。
３７．  照明条件が、ターゲットに対する入射角を含む、条項１〜３５の何れか一項に記載の方法。
３８．  条項２０〜３７の何れか一項に記載のメトロロジレシピに従って基板上のメトロロジターゲットを測定することを含む測定方法。
３９．  リソグラフィプロセスのパラメータを測定するためのメトロロジ装置であって、条項１〜３８の何れか一項に記載の方法を実行するように動作可能である、メトロロジ装置。
４０．  条項１〜３８の何れか一項に記載の方法をプロセッサに実行させるための機械可読命令を含む、非一時的なコンピュータプログラム製品。
４１．  基板上のメトロロジターゲットに放射ビームを提供し、ターゲットによって回析された放射線を検出するように構成された検査装置と、
条項４０に記載の非一時的なコンピュータプログラム製品と、
を備える、システム。
４２．  放射ビームを変調するためにパターニングデバイスを保持するように構成された支持構造と、変調された放射ビームを放射線感受性基板上に投影するように配置された投影光学系と、を備えるリソグラフィ装置をさらに備える、条項４１に記載のシステム。
[00198]  本発明の広さ及び範囲は、上記の例示的な実施形態の何れかによって限定されるのではなくて、添付の特許請求の範囲及びその等価物によってのみ規定されるべきである。
【図１】
2020518848.tif 000027
【図２】
2020518848.tif 000028
【図３】
2020518848.tif 000029
【図４】
2020518848.tif 000030
【図５】
2020518848.tif 000031
【図６】
2020518848.tif 000032
【図７Ａ】
2020518848.tif 000033
【図７Ｂ】
2020518848.tif 000034
【図７Ｃ】
2020518848.tif 000035
【図７Ｄ】
2020518848.tif 000036
【図８】
2020518848.tif 000037
【図９】
2020518848.tif 000038
【図１０】
2020518848.tif 000039
【図１１Ａ−１１Ｄ】
2020518848.tif 000040
【図１１Ｅ】
2020518848.tif 000041
【図１１Ｆ】
2020518848.tif 000042
【図１１Ｇ】
2020518848.tif 000043
【図１１Ｈ】
2020518848.tif 000044
【図１２】
2020518848.tif 000045
【図１３】
2020518848.tif 000046
【図１４】
2020518848.tif 000047
【図１５】
2020518848.tif 000048
【図１６】
2020518848.tif 000049
【図１７】
2020518848.tif 000050
【図１８】
2020518848.tif 000051
【図１９】
2020518848.tif 000052
【国際調査報告】
2020518848.tif 000053
2020518848.tif 000054
2020518848.tif 000055